(57)【要約】  表示装置（１００）は、フレキシブルディスプレイ（１０１）と、取得部（１０２）と、生成部（１０３）と、表示制御部（１０４）と、を備える。フレキシブルディスプレイ（１０１）は、収容保持部により、所定方向に巻回した状態で表示装置（１００）のハウジング内に収容されるとともに、収容されたフレキシブルディスプレイ（１０１）は表示装置（１００）のハウジング外へ繰り出し自在に保持されている。取得部（１０２）は、ハウジング外へ繰り出されたフレキシブルディスプレイ（１０１）の繰り出し量に関する情報を取得する。生成部（１０３）は、取得部（１０２）によって取得された情報を用いて、繰り出し量に応じて表示用情報を生成する。表示制御部（１０４）は、フレキシブルディスプレイ（１０１）を制御して、生成部（１０３）によって生成された表示用情報を表示する。
2008062532.tif 000002
【特許請求の範囲】
【請求項１】
可撓性を有するフレキシブルディスプレイを所定方向に巻回した状態でハウジング内に収容するとともに、収容された前記フレキシブルディスプレイを前記ハウジング外へ繰り出し自在に保持する収容保持手段と、
前記ハウジング外へ繰り出された前記フレキシブルディスプレイの繰り出し量に関する情報を取得する取得手段と、
前記取得手段によって取得された情報を用いて、前記繰り出し量に応じて表示用情報を生成する生成手段と、
前記フレキシブルディスプレイを制御して、前記生成手段によって生成された表示用情報を表示する表示制御手段と、
を備えることを特徴とする表示装置。
【請求項２】
前記生成手段は、
任意の地点およびその周辺の所定範囲の地図を、前記繰り出し量に応じて拡大または縮小した地図をあらわす表示用情報を生成することを特徴とする請求項１に記載の表示装置。
【請求項３】
前記生成手段は、
任意の地点およびその周辺の所定範囲の地図と、前記所定の範囲に隣接した地域であって前記繰り出し量に応じた範囲の地図と、をあらわす表示用情報を生成することを特徴とする請求項１に記載の表示装置。
【請求項４】
前記生成手段は、
前記繰り出し量が所定値以上の場合に前記フレキシブルディスプレイの表示領域を複数に分割し、分割されたそれぞれの領域に表示する任意の表示用情報を生成することを特徴とする請求項１に記載の表示装置。
【請求項５】
前記生成手段は、
前記繰り出し量に応じた数の任意の地点およびその周辺の所定範囲の地図をそれぞれあらわす表示用情報を生成することを特徴とする請求項１に記載の表示装置。
【請求項６】
前記生成手段は、
任意の地点間を結ぶルート全体をあらわす地図を前記繰り出し量に応じて拡大または縮小した地図をあらわす表示用情報を生成することを特徴とする請求項１に記載の表示装置。
【請求項７】
可撓性を有するフレキシブルディスプレイを所定方向に巻回した状態でハウジング内に収容するとともに、収容された前記フレキシブルディスプレイを前記ハウジング外へ繰り出し自在に保持する収容保持手段を備えた表示装置の表示方法であって、
前記ハウジング外へ繰り出された前記フレキシブルディスプレイの繰り出し量に関する情報を取得する取得工程と、
前記取得工程によって取得された情報を用いて、前記繰り出し量に応じて表示用情報を生成する生成工程と、
前記フレキシブルディスプレイを制御して、前記生成工程によって生成された表示用情報を表示する表示制御工程と、
を含むことを特徴とする表示方法。
【請求項８】
請求項７に記載の表示方法をコンピュータに実行させることを特徴とする表示プログラム。
【請求項９】
請求項８に記載の表示プログラムを記録したことを特徴とするコンピュータに読み取り可能な記録媒体。
【発明の詳細な説明】
【技術分野】
【０００１】
この発明は、映像を表示する表示装置、表示方法、表示プログラム、およびコンピュータに読み取り可能な記録媒体に関する。ただし、この発明の利用は、上述の表示装置、表示方法、表示プログラム、およびコンピュータに読み取り可能な記録媒体に限らない。
【背景技術】
【０００２】
従来、たとえば、車両などの移動体に搭載されたナビゲーション装置には、現在位置情報、走行経路情報、および地図情報などを表示するディスプレイを備えるものがあった。ナビゲーション装置には、たとえば、インダッシュ型のナビゲーション装置に代表されるように、ナビゲーション装置本体と一体に設けられたディスプレイを備えるものがあった。また、従来、たとえば、ディスプレイを大型化させ、詳細な地図情報を表示するようにした車載用音響機器に関する技術があった（たとえば、下記特許文献１参照。）。【０００３】
また、従来のナビゲーション装置においては、たとえば、所定のキー操作をおこなうことによって、現在地点から目的地点までの経路情報など、ユーザが所望する任意の情報をディスプレイに表示するようにしたものがあった。【０００４】
【特許文献１】特開平１１−３０８５５３号公報
【発明の開示】
【発明が解決しようとする課題】
【０００５】
しかしながら、上述した特許文献１に記載された従来の技術では、ディスプレイを大型化することで詳細な地図情報を表示することができるが、ディスプレイに情報を表示していない場合にも、車両内の空間がディスプレイに占有されることとなり、限られた空間を有効活用しきれていないという問題が一例として挙げられる。【０００６】
また、従来の技術では、ディスプレイの大きさはディスプレイを支持するナビゲーション装置本体の大きさに依存する傾向にあり、限られた空間を有効活用するためにナビゲーション装置の小型化を図ると、ナビゲーション装置の小型化にともなってディスプレイの大きさが小さくなり、表示できる情報量が限られてしまうという問題が一例として挙げられる。このため、たとえば、現在地点から目的地点までの経路情報すべてを一画面内に表示しきることができず、経路の全容を把握するために画面を切り替えなければならず煩わしいという問題があった。
【課題を解決するための手段】
【０００７】
上述した課題を解決し、目的を達成するため、請求項１の発明にかかる表示装置は、可撓性を有するフレキシブルディスプレイを所定方向に巻回した状態でハウジング内に収容するとともに、収容された前記フレキシブルディスプレイを前記ハウジング外へ繰り出し自在に保持する収容保持手段と、前記ハウジング外へ繰り出された前記フレキシブルディスプレイの繰り出し量に関する情報を取得する取得手段と、前記取得手段によって取得された情報を用いて、前記繰り出し量に応じて表示用情報を生成する生成手段と、前記フレキシブルディスプレイを制御して、前記生成手段によって生成された表示用情報を表示する表示制御手段と、を備えることを特徴とする。【０００８】
また、請求項７の発明にかかる表示方法は、可撓性を有するフレキシブルディスプレイを所定方向に巻回した状態でハウジング内に収容するとともに、収容された前記フレキシブルディスプレイを前記ハウジング外へ繰り出し自在に保持する収容保持手段を備えた表示装置の表示方法であって、前記ハウジング外へ繰り出された前記フレキシブルディスプレイの繰り出し量に関する情報を取得する取得工程と、前記取得工程によって取得された情報を用いて、前記繰り出し量に応じて表示用情報を生成する生成工程と、前記フレキシブルディスプレイを制御して、前記生成工程によって生成された表示用情報を表示する表示制御工程と、を含むことを特徴とする。【０００９】
また、請求項８の発明にかかる表示プログラムは、請求項７に記載の表示方法をコンピュータに実行させることを特徴とする。【００１０】
また、請求項９の発明にかかるコンピュータに読み取り可能な記録媒体は、請求項８に記載の表示プログラムを記録したことを特徴とする。
【図面の簡単な説明】
【００１１】
【図１】図１は、本実施の形態にかかる表示装置の機能的構成の一例を示すブロック図である。
【図２】図２は、本実施の形態にかかる表示装置の処理手順を示すフローチャートである。
【図３−１】図３―１は、本実施例にかかるナビゲーション装置の外観を示す説明図（その１）である。
【図３−２】図３―２は、本実施例にかかるナビゲーション装置の外観を示す説明図（その２）である。
【図３−３】図３―３は、本実施例にかかるナビゲーション装置の外観を示す説明図（その３）である。
【図４】図４は、フレキシブルディスプレイの収容時におけるナビゲーション装置の断面図である。
【図５】図５は、フレキシブルディスプレイの繰り出し時におけるナビゲーション装置の断面図である。
【図６】図６は、ナビゲーション装置のハードウェア構成を示すブロック図である。
【図７】図７は、表示領域変更モードにおける表示画面例を示す説明図である。
【図８】図８は、画面サイズ変更モードにおける表示画面例を示す説明図である。
【図９】図９は、画面数変更モードにおける表示画面例を示す説明図である。
【図１０】図１０は、本実施例にかかるナビゲーション装置の処理手順を示すフローチャートである。
【符号の説明】
【００１２】
１００  表示装置
１０１  フレキシブルディスプレイ
１０２  取得部
１０３  生成部
１０４  表示制御部
【発明を実施するための最良の形態】
【００１３】
以下に添付図面を参照して、本発明にかかる表示装置、表示方法、表示プログラムおよびコンピュータに読み取り可能な記録媒体の好適な実施の形態を詳細に説明する。【００１４】
（表示装置の機能的構成）
図１は、本実施の形態にかかる表示装置の機能的構成の一例を示すブロック図である。図１に示したように、この発明の実施の形態にかかる表示装置１００は、フレキシブルディスプレイ１０１と、取得部１０２と、生成部１０３と、表示制御部１０４と、から構成されている。【００１５】
フレキシブルディスプレイ１０１は、図示しない収容保持部によって、所定方向に巻回した状態で表示装置１００のハウジング内（以下、ハウジング内という）に収容されるとともに、収容されたフレキシブルディスプレイ１０１は表示装置１００のハウジング外（以下、ハウジング外という）へ繰り出し自在に保持されている。【００１６】
フレキシブルディスプレイ１０１は、生成部１０３によって生成された表示用情報を表示制御部１０４の制御にしたがって、ユーザが認識可能に表示する。ここで、表示用情報とは、たとえば、任意の地点およびその周辺の所定範囲の地図をフレキシブルディスプレイ１０１に表示させるための情報である。任意の地点とは、自装置の現在地点であってもよいし、ユーザに特定された地点であってもよい。フレキシブルディスプレイ１０１は、たとえば、発光素子を柔軟なプラスチックなどのフィルムではさんだ構造を有したディスプレイである。【００１７】
取得部１０２は、たとえば、ハウジング外へ繰り出されたフレキシブルディスプレイ１０１の繰り出し量が変化した場合に、ハウジング外へ繰り出されたフレキシブルディスプレイ１０１の繰り出し量に関する情報を取得する。ここで、繰り出し量に関する情報とは、たとえば、表示領域の大きさを特定可能な情報である。表示領域とは、たとえば、フレキシブルディスプレイ１０１のハウジング外に繰り出されたユーザが認識可能な部分の領域である。繰り出し量に関する情報は、たとえば、フレキシブルディスプレイ１０１と機械的に接続された歯車などに対し、反射型フォトセンサやロータリーエンコーダなどの各種センサを用いることで取得することができる。【００１８】
生成部１０３は、取得部１０２によって取得された情報を用いて、繰り出し量に応じて表示用情報を生成する。また、生成部１０３は、任意の地点およびその周辺の所定範囲の地図を、繰り出し量に応じて拡大または縮小した地図をあらわす表示用情報を生成することとしてもよい。【００１９】
また、生成部１０３は、任意の地点およびその周辺の所定範囲の地図と、所定の範囲に隣接した地域であって繰り出し量に応じた範囲の地図と、をあらわす表示用情報を生成することとしてもよい。たとえば、フレキシブルディスプレイ１０１に現在走行中の経路周辺の表示用情報が表示されている場合、表示領域を増加させると、増加した分の表示領域には現在走行中の経路周辺の表示用情報に隣接した地域の表示用情報が表示される。【００２０】
また、生成部１０３は、繰り出し量に応じた数の任意の地点およびその周辺の所定範囲の地図をそれぞれあらわす表示用情報を生成することとしてもよい。たとえば、フレキシブルディスプレイ１０１に、現在走行中の経路周辺の表示用情報が表示されている場合、表示領域を増加させると、増加した分の表示領域には目的地点周辺や経由地点周辺の表示用情報が表示される。【００２１】
また、生成部１０３は、図示しない選択部と接続し、各種表示モードのユーザによる選択を可能として、あらかじめ選択された表示モードに基づいた表示用情報を生成することとしてもよい。ここで、選択部とは、あらかじめ記憶されている複数の表示モード情報のうち、ユーザの選択により、決定された表示モード情報を記憶し、選択された表示モード情報を生成部１０３に送信する機能を有したものである。ここで、表示モード情報とは、あらかじめ記憶されている各表示モードの表示の形式を特定する情報である。【００２２】
表示制御部１０４は、フレキシブルディスプレイ１０１を制御して、生成部１０３によって生成された表示用情報を表示する。表示制御部１０４は、たとえば、生成部１０３によって、生成された表示用情報に基づいて、フレキシブルディスプレイ１０１が表示可能な信号情報に変換し、フレキシブルディスプレイ１０１に表示する。【００２３】
（表示装置１００の処理手順）
つぎに、図２を用いて、本実施の形態にかかる表示装置１００の処理手順について説明する。図２は、本実施の形態にかかる表示装置の処理手順を示すフローチャートである。図２のフローチャートにおいて、まず、フレキシブルディスプレイ１０１の繰り出し量に変化があるまで待機する（ステップＳ２０１：Ｎｏのループ）。繰り出し量に変化があった場合（ステップＳ２０１：Ｙｅｓ）には、取得部１０２によって、繰り出し量に関する情報を取得する（ステップＳ２０２）。【００２４】
取得部１０２によって、繰り出し量に関する情報を取得したのち、生成部１０３は、取得された繰り出し量に関する情報に応じて表示用情報を生成する（ステップＳ２０３）。そして、生成された表示用情報を表示制御部１０４によってフレキシブルディスプレイ１０１に表示（ステップＳ２０４）し、一連の処理を終了する。【００２５】
上述したように、本実施の形態の表示装置１００によれば、ハウジング内からハウジング外へ繰り出されたフレキシブルディスプレイ１０１の繰り出し量に応じた表示用情報を、フレキシブルディスプレイ１０１に表示することができる。これによって表示装置１００は、限られた空間を有効活用して、ユーザの要望に応じた量の情報を簡単に表示することができる。そして、これによって表示装置１００のユーザは、所望する量の情報を簡単に得ることができる。【００２６】
また、本実施の形態の表示装置１００によれば、任意の地点およびその周辺の所定範囲の地図を、フレキシブルディスプレイ１０１の繰り出し量に応じて拡大または縮小し、フレキシブルディスプレイ１０１に表示することができる。これによって表示装置１００は、地図情報の表示縮尺の切り替え操作がない場合にも、拡大された詳細な表示用情報を表示することができる。そして、これによって表示装置１００のユーザは、所望する量の情報を簡単に得ることができる。【００２７】
また、本実施の形態の表示装置１００によれば、任意の地点およびその周辺の所定範囲の地図と、所定の範囲に隣接した地域であってフレキシブルディスプレイ１０１の繰り出し量に応じた範囲の地図を、フレキシブルディスプレイ１０１の繰り出し量に応じて、フレキシブルディスプレイ１０１に表示することができる。これによって表示装置１００は、地図情報をスクロールさせることなく、任意の地点周辺の地図を広範囲に亘って表示することができる。そして、これによって表示装置１００のユーザは、所望する情報を全体に亘って簡単に得ることができる。【００２８】
また、本実施の形態の表示装置１００によれば、フレキシブルディスプレイ１０１の繰り出し量が所定値以上の場合には、一画面内に複数の情報を表示することができる。これによって表示装置は、一度に複数の情報を提供することができる。そして、これによって表示装置１００のユーザは、同時に複数の表示用情報を参照することができる。【００２９】
また、本実施の形態の表示装置１００によれば、フレキシブルディスプレイ１０１の繰り出し量に応じた、任意の数の地点およびその周辺の所定範囲の地図を表示することができる。これによって、表示装置１００のユーザは、同時に複数の地点の地図を参照することができる。【００３０】
また、本実施の形態の表示装置１００によれば、任意の地点間を結ぶルート全体をあらわす地図をフレキシブルディスプレイ１０１の繰り出し量に応じて拡大または縮小し、フレキシブルディスプレイ１０１に表示することができる。これによって表示装置１００は、地図情報をスクロールさせることなく、任意の地点間を結ぶルート全体を表示することができる。そして、これによって表示装置１００のユーザは、所望する情報を全体に亘って簡単に得ることができる。
【実施例】
【００３１】
つぎに、上述した実施の形態にかかる実施例について説明する。以下に説明する実施例は、上述した実施の形態の表示装置を、車両などの移動体に搭載されるナビゲーション装置に適用した例である。【００３２】
（ナビゲーション装置の外観）
図３−１〜図３−３は、本実施例にかかるナビゲーション装置の外観を示す説明図（（その１）〜（その３））である。図３−１〜図３−３に示したように、実施例のナビゲーション装置３００は、長方体形状のナビゲーション装置本体３０１において符号Ａであらわされる面をユーザ側に向けた状態で、車両などの移動体に設置される。また、ナビゲーション装置本体３０１において符号Ａであらわす面には、スリット３０１ａが開口されている。スリット３０１ａは、ナビゲーション装置本体３０１において符号Ａであらわす面に所定の面積を有するように開口された開口部である。ここで、所定の面積とは、フレキシブルディスプレイ３０２がスリット３０１ａを介して、ハウジング内外に変位することが十分可能な面積である。【００３３】
ナビゲーション装置本体３０１の内部には、長尺状のフレキシブルディスプレイ３０２が、長手方向に巻回された状態で収容されている。フレキシブルディスプレイ３０２としては、たとえば、物理的な柔軟性を備えるフレキシブルディスプレイを用いることができる。公知の技術であるため図示および説明を省略するが、フレキシブルディスプレイは、発光素子をプラスチックなどのフィルムではさんだ構造を有している。【００３４】
フレキシブルディスプレイにおける発光素子としては、たとえば、有機ＥＬ（Ｏａｒｇａｎｉｃ  Ｅｌｅｃｔｒｏｌｕｍｉｎｅｓｃｅｎｃｅ）現象を利用した有機ＥＬ素子や、液晶分子を配向制御することによりバックライトの光を選択的に透過させる液晶素子、あるいは、電子粉流体などを用いることができる。【００３５】
フレキシブルディスプレイ３０２には、フレキシブルディスプレイ３０２の長手方向に直交する幅方向の両端部付近に一定の間隔で送り穴３０２ａが設けられている。送り穴３０２ａは、フレキシブルディスプレイ３０２の幅方向の端に沿って、長手方向両端間に一直線上に設けられた開口部である。送り穴３０２ａは、歯車付きシャフト（図４中符号４１０および４２０を参照。）の歯車が噛み合わされており、フレキシブルディスプレイ３０２を所定の方向に案内する。【００３６】
フレキシブルディスプレイ３０２における長手方向の一端側は、ナビゲーション装置本体３０１内に設けられた歯車付きシャフト（図４中符号４１０を参照。）に取り付けられている。歯車付きシャフト（図４中符号４１０を参照。）により、フレキシブルディスプレイ３０２は、ナビゲーション装置本体３０１内に設けられた図示しない付勢機構によって巻回する方向に付勢されている。【００３７】
フレキシブルディスプレイ３０２における長手方向の他端側は、上述のスリット３０１ａを介して、ナビゲーション装置本体３０１外部に位置づけられた取っ手３０３に取り付けられている。取っ手３０３の外形サイズは、スリット３０１ａの開口部分のサイズよりも大きい。これにより、取っ手３０３は、スリット３０１ａを介することができない。すなわち、フレキシブルディスプレイ３０２において長手方向の他端側は、常時ナビゲーション装置本体３０１の外側に位置づけられている。【００３８】
ナビゲーション装置本体３０１には、取っ手３０３の両端部を保持可能な突起部を備えるステイ３０４が設けられている。突起部は、取っ手３０３と同程度の高さを有している。フレキシブルディスプレイ３０２をナビゲーション装置本体３０１外部に引き出した状態でステイ３０４における突起に取っ手３０３を引っ掛けることで、フレキシブルディスプレイ３０２の撓みを抑え、安定して固定できる。【００３９】
取っ手３０３をナビゲーション装置本体３０１から離間する方向へ移動させると、取っ手３０３の移動にともなって、フレキシブルディスプレイ３０２がナビゲーション装置本体３０１内部からナビゲーション装置本体３０１外部へ繰り出される。また、上述した付勢機構により、取っ手３０３を把持して引っ張るなど、取っ手３０３に対して外力を加えてフレキシブルディスプレイ３０２をナビゲーション装置本体３０１外部へ引き出した状態で、取っ手３０３に対する外力を解放し、ユーザが図示しないディスプレイ収容ボタンを押下すると、フレキシブルディスプレイ３０２は巻回した状態へと戻る。【００４０】
つぎに、図４および図５を用いて、本実施例にかかるナビゲーション装置本体３０１の内部構造について説明する。図４は、フレキシブルディスプレイの収容時におけるナビゲーション装置の断面図である。図５は、フレキシブルディスプレイの繰り出し時におけるナビゲーション装置の断面図である。図４および図５に示したように、ナビゲーション装置本体３０１内部には、歯車付きシャフト４１０と、歯車付きシャフト４２０と、反射型フォトセンサ部４３０と、が備えられている。【００４１】
歯車付きシャフト４１０は、軸４１０ａと、２つの歯車４１１と、歯車４１２と、ストッパ４１３と、ストッパ解除レバー４１４と、図示しないぜんまいバネと、を備えている。歯車４１１は、ピッチがフレキシブルディスプレイ３０２に設けられた送り穴３０２ａの間隔と同等の歯車である。歯車４１２は、ストッパ用の歯車で任意のピッチの歯車である。ストッパ４１３は、固定部４１３ａを中心として回転する爪部４１３ｂを有するものである。ストッパ解除レバー４１４も、ストッパ４１３と同様に、固定部４１４ａを中心として回転する爪部４１４ｂを有するものである。【００４２】
歯車付きシャフト４１０には、図４および図５に示した断面図の手前方向から、図４および図５において反時計まわりに巻かれたぜんまいバネが、一端をナビゲーション装置本体３００のハウジング面（以下、単に「ハウジング面」という）に、他端を軸４１０ａに固定された状態で備えられている。ぜんまいバネから所定の距離を置いて、歯車４１２が、軸４１０ａを中心として軸４１０ａに固定されている。【００４３】
歯車４１２付近のハウジング面には、ストッパ４１３が取り付けられており、歯車４１２の歯部分にストッパ４１３の爪部４１３ｂが当てられている。また、ストッパ４１３の下部のハウジング面には、ストッパ解除レバー４１４が取り付けられている。上述のストッパ解除レバー４１４にはモータが備えられている。歯車４１２から所定の距離を置いて、１つ目の歯車４１１が軸４１０ａを中心として軸４１０ａに固定されており、所定の距離を置いて、２つ目の歯車４１１が同じ形態で軸４１０ａに固定されている。なお、図４および図５において、２つ目の歯車４１１は、１つ目の歯車４１１の影になっている。【００４４】
歯車付きシャフト４２０は、軸４２０ａと、２つの歯車４２１と、歯車４２２と、を備えている。ここで、歯車４２１は歯車４１１と同様の形状であり、歯車４２２は歯車４１２と同様の形状である。すなわち、歯車付きシャフト４２０は、上述した歯車付きシャフト４１０から、ストッパ４１３と、ストッパ解除レバー４１４と、ぜんまいバネと、を外したもので、他は同一の形状である。【００４５】
図示を省略するが、反射型フォトセンサ部４３０は、反射型フォトセンサと、増幅器と、マイクロプロセッサと、を備えている。反射型フォトセンサは、同方向を向いた、受光素子と発光素子とを備えており、発光素子が発光した光を歯車４２２に当て、反射してくる光の有無を受光素子で検知する機能を備えたセンサである。増幅器は、反射型フォトセンサからの入力信号を増幅して出力する機能を備えた電子回路である。マイクロプロセッサは、増幅器からの入力信号をＡ／Ｄ変換し、パルス信号とする機能を備えた集積回路である。【００４６】
すなわち、反射型フォトセンサ部４３０は、反射型フォトセンサが検知した信号を、ＣＰＵが処理可能な信号として出力する機能を備えた測定装置である。反射型フォトセンサ部４３０は、歯車付きシャフト４２０の歯車４２２の歯部分の位置に光を当てることが可能なハウジング面に設置されている。【００４７】
図４に示したように、フレキシブルディスプレイ３０２は本体内に収容されている場合には、歯車付きシャフト４１０の外周上に巻回している。ここで、ユーザが、詳細な情報を必要とした場合などに、フレキシブルディスプレイ３０２を前方（図４および図５左方向。以下、単に前方という）に引き出そうとする。このとき、フレキシブルディスプレイ３０２は、前方向の力を受け、前方へ変位を開始する。【００４８】
ここで、フレキシブルディスプレイ３０２の幅方向の端部付近には、上述したように、送り穴３０２ａが開口されている。上述の送り穴３０２ａは、歯車付きシャフト４１０の歯車４１１と噛み合わされており、フレキシブルディスプレイ３０２が前方へ変位したとき、歯車付きシャフト４１０は、図５矢印Ｔ方向のトルクを受け、矢印Ｔ方向へ回転を開始する。また、歯車付きシャフト４２０の歯車４２１も、上述の送り穴３０２ａと噛み合わせられおり、これにより、歯車付きシャフト４２０も歯車付きシャフト４１０と同様の回転を開始する。【００４９】
また、反射型フォトセンサ部４３０は、回転する歯車付きシャフト４２０の歯車４２２の歯部分に光を当てる。歯車付きシャフト４２０の歯車４２２が回転するたびに、歯による反射の有無が繰り返され、上述の有無を反射型フォトセンサ部４３０で検出し、パルス信号へと変換する。その後、上述のパルス信号をカウントし、フレキシブルディスプレイ３０２の収容位置からの繰り出し量を算出する。そして、フレキシブルディスプレイ３０２が所望の長さになった場合、ユーザは、取っ手３０３を上述のステイ３０４に引っ掛け、フレキシブルディスプレイ３０２を固定する。また、ユーザは、フレキシブルディスプレイ３０２の長さに合った位置のステイ３０４を選択することで、フレキシブルディスプレイ３０２の撓みを抑え、安定して固定することが可能となる。【００５０】
上述したように、歯車付きシャフト４１０には、ぜんまいバネが固定されている。上述のぜんまいバネの復元力によって、歯車付きシャフト４１０は、図４および図５において反時計まわりに回転する力が加えられている。しかし、歯車付きシャフト４１０の歯車４１２には、上述したように、ストッパ４１３が噛まされている。このストッパ４１３により、歯車付きシャフト４１０は、ラチェット構造を有しており、上述の復元力に対する抵抗力が働いているため、図４および図５において反時計まわりに作用する復元力は抑えられている。【００５１】
つぎに、フレキシブルディスプレイ３０２の収容時における各構成の動作について説明する。ユーザが、フレキシブルディスプレイ３０２を収容する場合は、まず、ユーザは、上述の取っ手３０３をステイ３０４から解放する。そして、ユーザはディスプレイ収容ボタン（図示しない）を押下する。ディスプレイ収容ボタンが押下された場合、モータによりストッパ解除レバー４１４の爪部４１４ｂがストッパ４１３方向へ回転し、ストッパ４１３を押し上げる。【００５２】
ストッパ４１３は上述したように、歯車付きシャフト４１０の歯車４１２と噛み合わされているが、ストッパ解除レバー４１４によって、上部へ押し上げられることにより、ストッパ４１３が歯車４１２より離れる。このとき、歯車付きシャフト４１０に固定されているぜんまいバネの復元力により、歯車付きシャフト４１０は、図４および図５において反時計まわりに回転する。【００５３】
フレキシブルディスプレイ３０２の一端側は歯車付きシャフト４１０の外周上の一点に固定されているので、上述したように歯車付きシャフト４１０が反時計まわりに回転することにより、フレキシブルディスプレイ３０２は、図４および図５において右方向へ変位する。これにより、上述した引き出し時とは逆の動作がおこなわれることとなる。なお、フレキシブルディスプレイ３０２が完全に収容されたときに上述した反射型フォトセンサ部４３０のパルスカウント量はリセットされる。【００５４】
（ナビゲーション装置３００のハードウェア構成）
つぎに、図６を用いて、本実施例にかかるナビゲーション装置３００のハードウェア構成について説明する。図６はナビゲーション装置のハードウェア構成を示すブロック図である。図６において、ナビゲーション装置３００は、車両などの移動体に搭載されており、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、マイク６０９と、スピーカ６１０と、入力デバイス６１１と、映像Ｉ／Ｆ６１２と、フレキシブルディスプレイ３０２と、カメラ６１３と、通信Ｉ／Ｆ６１４と、ＧＰＳユニット６１５と、各種センサ６１６と、を備えている。また、各構成部３０２、６０１〜６１６はバス６２０によってそれぞれ接続されている。【００５５】
まず、ＣＰＵ６０１は、ナビゲーション装置３００の全体の制御を司る。ＲＯＭ６０２には、ブートプログラム、現在地点特定プログラム、経路探索プログラム、経路誘導プログラム、音声生成プログラム、地図情報表示プログラム、通信プログラム、データベース作成プログラム、データ解析プログラムなどのプログラムが記録されている。また、ＲＡＭ６０３は、ＣＰＵ６０１のワークエリアとして使用される。【００５６】
現在地点特定プログラムは、たとえば、後述するＧＰＳユニット６１５および各種センサ６１６の出力情報に基づいて、車両の現在地点（ナビゲーション装置３００の現在地点）を特定させる。【００５７】
経路探索プログラムは、後述する磁気ディスク６０５または光ディスク６０７に記録されている地図情報などを利用して、出発地点から目的地点までの最適な経路や、当該最適な経路を外れた場合の迂回経路を探索させる。ここで、最適な経路とは、目的地点までにかかるコストが最小の経路やユーザが指定した条件に最も合致する経路などである。経路探索プログラムを実行することによって探索された誘導経路は、ＣＰＵ６０１を介して音声Ｉ／Ｆ６０８や映像Ｉ／Ｆ６１２へ出力される。【００５８】
経路誘導プログラムは、経路探索プログラムを実行することによって探索された誘導経路情報、現在地点特定プログラムを実行することによって特定された車両の現在地点情報、磁気ディスク６０５または光ディスク６０７から読み出された地図情報に基づいて、リアルタイムな経路誘導情報の生成をおこなわせる。経路誘導プログラムを実行することによって生成された経路誘導情報は、ＣＰＵ６０１を介して音声Ｉ／Ｆ６０８や映像Ｉ／Ｆ６１２へ出力される。【００５９】
音声生成プログラムは、パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこなわせる。音声ガイダンス情報には、たとえば、右左折地点を経路通りに右左折すべき旨の警報、右左折地点の手前で減速すべき旨の警報、右左折し損なった場合の迂回経路についての情報や、右左折し損なった場合に引き返すべき旨の案内情報が含まれる。生成された音声ガイダンス情報はＣＰＵ６０１を介して音声Ｉ／Ｆ６０８へ出力される。【００６０】
地図情報表示プログラムは、映像Ｉ／Ｆ６１２によって磁気ディスク６０５または光ディスク６０７から読み出された地図情報をフレキシブルディスプレイ３０２に表示させる。【００６１】
磁気ディスクドライブ６０４は、ＣＰＵ６０１の制御にしたがって磁気ディスク６０５に対するデータの読み取り／書き込みを制御する。磁気ディスク６０５には、磁気ディスクドライブ６０４の制御で書き込まれたデータが記録される。磁気ディスク６０５としては、たとえば、ＨＤ（ハードディスク）やＦＤ（フレキシブルディスク）を用いることができる。【００６２】
光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータの読み出される着脱自在な記録媒体である。光ディスク６０７は、書き込み可能な記録媒体を利用することもできる。また、この着脱可能な記録媒体として、光ディスク６０７のほか、ＭＯ、メモリカードなどであってもよい。【００６３】
磁気ディスク６０５または光ディスク６０７に記録される情報の一例として、経路探索・経路誘導などに用いる地図情報が挙げられる。地図情報は、建物、河川、地点表面などの地点物（フィーチャ）を表す背景データと、道路の形状を表す道路形状データとを有しており、フレキシブルディスプレイ３０２の表示画面において２次元または３次元に描画される。【００６４】
道路形状データは、さらに交通条件データを有する。交通条件データには、たとえば、各ノードについて、信号や横断歩道などの有無、高速道路の出入口やジャンクションの有無、各リンクについての長さ（距離）、道幅、進行方向、道路種別（高速道路、有料道路、一般道路）などの情報が含まれている。【００６５】
また、交通条件データには、過去の渋滞情報を、季節・曜日・大型連休・時刻などを基準に統計処理した過去渋滞情報を記憶している。ナビゲーション装置３００は、後述する通信Ｉ／Ｆ６１４によって受信される道路交通情報によって現在発生している渋滞の情報を得るが、過去渋滞情報により、指定した時刻における渋滞状況の予想をおこなうことが可能となる。【００６６】
なお、本実施例では地図情報を磁気ディスク６０５または光ディスク６０７に記録するようにしたが、これらに限るものではない。地図情報は、ナビゲーション装置３００のハードウェアと一体に設けられているものに限って記録されているものではなく、ナビゲーション装置３００の外部に設けられていてもよい。その場合、ナビゲーション装置３００は、たとえば、通信Ｉ／Ｆ６１４を通じて、ネットワークを介して地図情報を取得する。取得された地図情報はＲＡＭ６０３などに記憶される。【００６７】
音声Ｉ／Ｆ６０８は、音声入力用のマイク６０９および音声出力用のスピーカ６１０に接続される。マイク６０９に受音された音声は、音声Ｉ／Ｆ６０８内でＡ／Ｄ変換される。また、スピーカ６１０からは音声が出力される。なお、マイク６０９から入力された音声は、音声データとして磁気ディスク６０５あるいは光ディスク６０７に記録可能である。【００６８】
入力デバイス６１１は、文字、数値、各種指示などの入力のための複数のキーを備えたリモコン、キーボード、マウス、タッチパネルなどが挙げられる。入力デバイス６１１は、ユーザによって選択されたキーに対応するデータを装置内部へ入力する。【００６９】
映像Ｉ／Ｆ６１２は、フレキシブルディスプレイ３０２およびカメラ６１３と接続される。映像Ｉ／Ｆ６１２は、具体的には、たとえば、フレキシブルディスプレイ３０２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、フレキシブルディスプレイ３０２を表示制御する制御ＩＣなどによって構成される。【００７０】
フレキシブルディスプレイ３０２には、アイコン、カーソル、メニュー、ウインドウ、あるいは文字や画像などの各種データが表示される。このフレキシブルディスプレイ３０２は、たとえば、一例として有機ＥＬディスプレイなどの、物理的な柔軟性を有するディスプレイを採用することができる。フレキシブルディスプレイ３０２は、車両に複数備えられていてもよく、たとえば、運転者に対するものと後部座席に着座する搭乗者に対するものなどである。【００７１】
カメラ６１３は、車両内部あるいは外部の映像を撮影する。映像は静止画あるいは動画のどちらでもよく、たとえば、カメラ６１３によって車両内部の搭乗者の挙動を撮影し、撮影した映像を映像Ｉ／Ｆ６１２を介してＣＰＵ６０１あるいは磁気ディスク６０５や光ディスク６０７などの記録媒体に出力する。【００７２】
また、カメラ６１３によって車両外部の状況を撮影し、撮影した映像を映像Ｉ／Ｆ６１２を介して磁気ディスク６０５や光ディスク６０７などの記録媒体に出力する。ＣＰＵ６０１に出力された映像は、たとえば、搭乗者の特定挙動の決定に用いられる。また、記録媒体に出力された映像は、ドライブレコーダ用画像として上書き記録や保存がおこなわれる。【００７３】
通信Ｉ／Ｆ６１４は、無線を介してネットワークに接続され、ナビゲーション装置３００とＣＰＵ６０１とのインターフェースとして機能する。通信Ｉ／Ｆ６１４は、さらに、無線を介してインターネットなどの通信網に接続され、この通信網とＣＰＵ６０１とのインターフェースとしても機能する。また、通信Ｉ／Ｆ６１４は、テレビ放送やラジオ放送を受信する。【００７４】
通信網には、ＬＡＮ、ＷＡＮ、公衆回線網や携帯電話網などがある。具体的には、通信Ｉ／Ｆ６１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規則などの道路交通情報を取得する。なお、ＶＩＣＳは登録商標である。【００７５】
ＧＰＳユニット６１５は、ＧＰＳ衛星からの電波を受信し、車両の現在地点を示す情報を算出する。ＧＰＳユニット６１５の出力情報は、後述する各種センサ６１６の出力値とともに、ＣＰＵ６０１による車両の現在地点の特定に際して利用される。現在地点を示す情報は、たとえば緯度・経度、高度などの、地図情報上の１点を特定する情報である。【００７６】
各種センサ６１６は、車速センサや加速度センサ、角速度センサなどの、車両の位置や挙動を決定することが可能な情報を出力する。各種センサ６１６の出力値は、ＣＰＵ６０１による車両の現在地点の特定や、速度や方位の変化量の測定などに用いられる。【００７７】
なお、図１に示した実施の形態にかかる表示装置１００の取得部１０２は各種センサ６１６によって、生成部１０３はＣＰＵ６０１およびＲＡＭ６０３によって、表示制御部１０４はＣＰＵ６０１、ＲＡＭ６０３および映像Ｉ／Ｆ６１２によって、フレキシブルディスプレイ１０１はフレキシブルディスプレイ３０２によって、それぞれの機能を実現することができる。【００７８】
（ナビゲーション装置３００における表示モード）
つぎに、ナビゲーション装置３００における各種表示モードの説明をする。ユーザは、あらかじめナビゲーション装置３００において表示モードを設定しておくことで、フレキシブルディスプレイ３０２を繰り出した場合に、設定された表示モードに基づいた情報をフレキシブルディスプレイ３０２に表示することが可能である。たとえば、以下のモードがある。【００７９】
（表示領域変更モード）
図７は、表示領域変更モードにおける表示画面例を示す説明図である。図７に示したように、表示領域変更モードにおいて、フレキシブルディスプレイ３０２の繰り出し量が少ない場合、フレキシブルディスプレイ３０２には、表示用情報７０１が表示される。このとき、ユーザによって、フレキシブルディスプレイ３０２がさらに繰り出されると、表示領域には、表示用情報７０１と表示用情報７０１に隣接した地域の表示用情報７０３が表示される。これにより、自車アイコン７０２の前方の表示用情報７０３内にある経路情報が表示される。図７に示すように、ユーザは、縮尺を小さくして詳細な表示用情報を犠牲にすることもなく、表示用情報をスクロールさせて自車アイコン７０２周辺の表示用情報を犠牲することもなくして、隣接した地域の経路情報を参照できる。【００８０】
以上説明したように、表示領域変更モードは、フレキシブルディスプレイ３０２の表示領域に合わせて、任意の地点およびその周辺の表示用情報と、その表示用情報に隣接した地域の表示用情報を表示するモードである。ナビゲーション画面は、たとえば、ヘディングアップ状態（進行方向を画面上部に向ける状態）で使用する場合がある。ヘディングアップ状態の場合には、表示用情報がディスプレイの縦方向（上から下）へとスクロールする。ユーザは、表示領域変更モードを使用することにより、自車前方（自車位置より上側）の経路情報を遠くまで表示させることができる。これにより、進行予定の経路情報を広く把握することができる。【００８１】
（画面サイズ変更モード）
図８は、画面サイズ変更モードにおける表示画面例を示す説明図である。図８に示したように、画面サイズ変更モードにおいて、フレキシブルディスプレイ３０２の繰り出し量が少ない場合、フレキシブルディスプレイ３０２の表示領域は表示領域８０１に示すとおりである。このとき、ユーザによって、フレキシブルディスプレイ３０２がさらに繰り出されると、表示領域は表示領域８０３に拡大され、それにともなって、自車アイコン８０２周辺の表示用情報の縮尺も拡大され、詳細な表示用情報がフレキシブルディスプレイ３０２に表示される。図８に示すように、ユーザは、あらかじめ表示されている表示用情報の範囲を狭くすることなく拡大された詳細な表示用情報を参照できる。【００８２】
以上説明したように、画面サイズ変更モードは、表示領域に合わせて、表示用情報を拡大もしくは縮小して表示するモードである。たとえば、ユーザは、画面サイズ変更モードを拡大表示で使用することにより、現在走行中の経路に沿った詳細な表示用情報を簡単に認識することができる。また、たとえば、経路に沿って設定されるランドマークが重ならない状態で表示することができる。また、たとえば、現在地点から、目的地点までの全経路情報を表示している場合に、このモードを使用することにより、全経路情報を拡大もしくは縮小して表示することも可能である。【００８３】
（画面数変更モード）
図９は、画面数変更モードにおける表示画面例を示す説明図である。図９に示したように、画面数変更モードにおいて、フレキシブルディスプレイ３０２の繰り出し量が少ない場合、フレキシブルディスプレイ３０２には、表示領域９０１に表示される。このとき、ユーザによって、フレキシブルディスプレイ３０２がさらに繰り出されると、表示領域９０１の上部に表示領域９０２が現れ、表示領域９０２には、目的地点周辺の表示用情報が表示された目的地点サムネイル９０３と、経由地点周辺の表示用情報が表示された経由地点サムネイル９０４とが表示される。【００８４】
図９に示すように、ユーザは、自車周辺の表示用情報を犠牲にすることなく、さらに、目的地点周辺の表示用情報や、経由地点周辺の表示用情報を参照することができる。なお、表示領域９０２には、地図情報に限らずＴＶやＤＶＤ等の他ソースからの映像情報を表示することもできる。また、音楽等の音声を出力している際には、音声に関する情報としてプレイリスト等を表示してもよい。【００８５】
以上説明したように、画面数変更モードは、フレキシブルディスプレイ３０２を複数の領域に分割して、それぞれに独立の情報を表示させるモードである。ユーザは、画面数変更モードを使用することにより、たとえば、走行中の経路周辺の表示用情報を参照しながら、目的地点周辺の表示用情報や経由地点周辺の表示用情報などの他の情報も同時に参照することができる。【００８６】
（ナビゲーション装置３００の処理手順）
つぎに、本実施例にかかるナビゲーション装置３００の処理手順について説明する。図１０は、本実施例にかかるナビゲーション装置３００の処理手順を示すフローチャートである。図１０に示したナビゲーション装置３００の処理手順は、たとえば、車両の現在走行中の経路周辺の表示用情報がフレキシブルディスプレイ３０２に表示されている状態でおこなわれる。図１０に示したフローチャートにおいて、まず、フレキシブルディスプレイ３０２の繰り出し量が変化するまで待機する（ステップＳ１００１：Ｎｏのループ）。フレキシブルディスプレイ３０２の繰り出し量が変化した場合（ステップＳ１００１：Ｙｅｓ）には、変化後の繰り出し量に関する情報を取得する（ステップＳ１００２）。【００８７】
変化後の繰り出し量に関する情報を取得したのち、ステップＳ１００１：Ｙｅｓにおいて、表示領域変更モードであるか否かを判定する（ステップＳ１００３）。表示領域変更モードである場合（ステップＳ１００３：Ｙｅｓ）には、表示領域に合わせて表示領域変更モードに基づいた表示用情報を磁気ディスク６０５または光ディスク６０７に記録された地図情報から生成する（ステップＳ１００４）。表示領域変更モードに基づいた表示用情報を生成するとは、たとえば、図７に示したとおりである。ステップＳ１００４において表示領域変更モードに基づいた表示用情報を生成したのち、生成された表示用情報をフレキシブルディスプレイ３０２に表示し（ステップＳ１０１１）、一連の処理を終了する。また、表示領域変更モードでないと判定された場合（ステップＳ１００３：Ｎｏ）には、ステップＳ１００５へと進む。【００８８】
ステップＳ１００３において、表示領域変更モードでないと判定された場合には、画面サイズ変更モードであるか否かを判定する（ステップＳ１００５）。画面サイズ変更モードである場合（ステップＳ１００５：Ｙｅｓ）には、表示領域に合わせて画面サイズ変更モードに基づいた表示用情報を磁気ディスク６０５または光ディスク６０７に記録された地図情報から生成する（ステップＳ１００６）。画面サイズ変更モードに基づいた表示用情報を生成するとは、たとえば、図８に示したとおりである。ステップＳ１００６において画面サイズ変更モードに基づいた表示用情報を生成したのち、生成された表示用情報をフレキシブルディスプレイ３０２に表示し（ステップＳ１０１１）、一連の処理を終了する。また、画面サイズ変更モードでないと判定された場合（ステップＳ１００５：Ｎｏ）には、ステップＳ１００７へと進む。【００８９】
ステップＳ１００５において、画面サイズ変更モードでないと判定された場合には、フレキシブルディスプレイ３０２が、分割表示が可能か否かを判定する（ステップＳ１００７）。フレキシブルディスプレイ３０２が、分割表示が可能である場合（ステップＳ１００７：Ｙｅｓ）には、画面数変更モードに基づいた表示用情報を生成する（ステップＳ１００８）。画面数変更モードに基づいた表示用情報を生成するとは、たとえば、図９に示したとおりである。ステップＳ１００８において画面数変更モードに基づいた表示用情報を生成したのち、生成された表示用情報をフレキシブルディスプレイ３０２に表示し（ステップＳ１０１１）、一連の処理を終了する。また、フレキシブルディスプレイ３０２が、分割表示が可能でないと判定された場合（ステップＳ１００７：Ｎｏ）には、ステップＳ１００９へと進む。【００９０】
ステップＳ１００７において、分割表示が可能でないと判定された場合には、表示が可能か否かを判定する（ステップＳ１００９）。表示が可能である場合には（ステップＳ１００９：Ｙｅｓ）には、表示可能な表示用情報を生成する（ステップＳ１０１０）。表示可能な表示用情報とは、取得された繰り出し量から算出される表示領域に表示可能な表示用情報である。ステップＳ１０１０において表示可能な表示用情報を生成したのち、生成された表示用情報をフレキシブルディスプレイ３０２に表示し（ステップＳ１０１１）、一連の処理を終了する。また、表示が可能でないと判定された場合（ステップＳ１００９：Ｎｏ）には、そのまま一連の処理を終了する。【００９１】
上述したように、本実施例のナビゲーション装置３００によれば、ナビゲーション装置本体３０１内からナビゲーション装置本体３０１外へ繰り出されたフレキシブルディスプレイ３０２の繰り出し量に応じた表示用情報を、フレキシブルディスプレイ３０２に表示することができる。これによってナビゲーション装置３００は、車両内などの限られた空間を有効活用して、ユーザの要望に応じた量の情報を簡単に表示することができる。これにより、ユーザは、所望する量の情報を簡単に得ることができる。【００９２】
また、本実施例のナビゲーション装置３００によれば、たとえば、現在地点や目的地点などの任意の地点およびその周辺の所定範囲の表示用情報を、フレキシブルディスプレイ３０２の繰り出し量に応じて拡大または縮小し、フレキシブルディスプレイ３０２に表示することができる。これにより、ユーザは、たとえば、現在走行中の経路に沿った拡大された詳細な表示用情報を表示縮尺の切り替え操作することなく、簡単に表示させることができる。【００９３】
また、本実施例のナビゲーション装置３００によれば、たとえば、現在地点や目的地点などの任意の地点およびその周辺の所定範囲の地図と、所定の範囲に隣接した地域であってフレキシブルディスプレイ３０２の繰り出し量に応じた範囲の地図を、フレキシブルディスプレイ３０２の繰り出し量に応じて、フレキシブルディスプレイ３０２に表示することができる。これによってナビゲーション装置３００は、地図情報をスクロールさせることなく、任意の地点周辺の地図を広範囲に亘って表示することができる。これにより、ユーザは、たとえば、表示縮尺を変えずに現在走行中の経路周辺の表示用情報とそれに隣接した地域の表示用情報を参照することができる。【００９４】
また、本実施例のナビゲーション装置３００によれば、フレキシブルディスプレイ３０２の繰り出し量に応じた、たとえば、目的地点や経由地点などの任意の数の地点およびその周辺の所定範囲の地図を表示することができる。これにより、ユーザは、たとえば、現在走行中の経路周辺の表示用情報を参照しながら、目的地点周辺の表示用情報や経由地点周辺の表示用情報などの他の情報も同時に参照することができる。これにより、ユーザは、あらかじめ目的地点周辺や経由地点周辺の経路情報を把握することができる。【００９５】
また、本実施例のナビゲーション装置３００によれば、たとえば、現在地点から目的地点などの任意の地点間を結ぶルート全体をあらわす地図をフレキシブルディスプレイ３０２の繰り出し量に応じて拡大または縮小した地図を、フレキシブルディスプレイ３０２に表示することができる。これによってナビゲーション装置３００は、地図情報をスクロールさせることなく、たとえば、現在地点から目的地点間を結ぶルート全体を表示することができる。これにより、ユーザは、ルート全体の情報を簡単に得ることができる。【００９６】
なお、本実施例では、表示用情報を任意の地点およびその周辺の所定範囲の地図をフレキシブルディスプレイ３０２に表示させるための情報として説明したが、表示用情報は上述の情報に限らない。たとえば、画面数変更モードにおいて、表示領域９０１には表示用情報を、表示領域９０２にはＶＩＣＳで入手したニュースなどを表示してもよいし、ＤＶＤ映像やＴＶ映像などのＡＶ情報を表示させてもよい。これにより、ナビゲーション装置３００がナビゲーション動作中であっても、同乗者はＡＶ情報などを鑑賞することができる。【００９７】
なお、本実施の形態で説明した表示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2008062532.tif 000003
【図２】
2008062532.tif 000004
【図３−１】
2008062532.tif 000005
【図３−２】
2008062532.tif 000006
【図３−３】
2008062532.tif 000007
【図４】
2008062532.tif 000008
【図５】
2008062532.tif 000009
【図６】
2008062532.tif 000010
【図７】
2008062532.tif 000011
【図８】
2008062532.tif 000012
【図９】
2008062532.tif 000013
【図１０】
2008062532.tif 000014
【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
移動体の現在地点を含む地図を表示する表示装置において、
可撓性を有するフレキシブルディスプレイを所定方向に巻回した状態でハウジング内に収容するとともに、収容された前記フレキシブルディスプレイを前記ハウジング外へ繰り出し自在に保持する収容保持手段と、
前記ハウジング外へ繰り出された前記フレキシブルディスプレイの繰り出し量に関する情報を取得する取得手段と、
前記取得手段によって取得された情報を用いて、前記繰り出し量に応じて表示用情報を生成する生成手段と、
前記フレキシブルディスプレイを制御して、前記生成手段によって生成された表示用情報を表示する表示制御手段と、を備え、
前記生成手段は、前記現在地点の周辺の所定範囲の地図と、前記所定範囲に対して前記移動体の進行方向に隣接した地域であって前記繰り出し量に応じた範囲の地図と、をあらわす表示用情報を生成することを特徴とする表示装置。
【請求項２】
（削除）
【請求項３】
（削除）
【請求項４】
（削除）
【請求項５】
（削除）
【請求項６】
（削除）
【請求項７】
移動体の現在地点を含む地図を表示する表示装置の表示方法において、
可撓性を有するフレキシブルディスプレイを所定方向に巻回した状態でハウジング内に収容するとともに、収容された前記フレキシブルディスプレイを前記ハウジング外へ繰り出し自在に保持する収容保持工程と
前記ハウジング外へ繰り出された前記フレキシブルディスプレイの繰り出し量に関する情報を取得する取得工程と、
前記取得工程によって取得された情報を用いて、前記繰り出し量に応じて表示用情報を生成する生成工程と、
前記フレキシブルディスプレイを制御して、前記生成工程によって生成された表示用情報を表示する表示制御工程と、を含み、
前記生成工程では、前記現在地点の周辺の所定範囲の地図と、前記所定範囲に対して前記移動体の進行方向に隣接した地域であって前記繰り出し量に応じた範囲の地図と、をあらわす表示用情報を生成することを特徴とする表示方法。
【請求項８】
請求項７に記載の表示方法をコンピュータに実行させることを特徴とする受信プログラム。
【請求項９】
請求項８に記載の表示プログラムをコンピュータに読み取り可能に記録したことを特徴とする記録媒体。
【手続補正２】
【補正対象書類名】明細書
【補正対象項目名】０００２
【補正方法】変更
【補正の内容】
【０００２】
ョン装置本体の大きさに依存する傾向にあり、限られた空間を有効活用するためにナビゲーション装置の小型化を図ると、ナビゲーション装置の小型化にともなってディスプレイの大きさが小さくなり、表示できる情報量が限られてしまうという問題が一例として挙げられる。このため、たとえば、現在地点から目的地点までの経路情報すべてを一画面内に表示しきることができず、経路の全容を把握するために画面を切り替えなければならず煩わしいという問題があった。
課題を解決するための手段
［０００７］
上述した課題を解決し、目的を達成するため、請求項１の発明にかかる表示装置は、移動体の現在地点を含む地図を表示する表示装置において、可撓性を有するフレキシブルディスプレイを所定方向に巻回した状態でハウジング内に収容するとともに、収容された前記フレキシブルディスプレイを前記ハウジング外へ繰り出し自在に保持する収容保持手段と、前記ハウジング外へ繰り出された前記フレキシブルディスプレイの繰り出し量に関する情報を取得する取得手段と、前記取得手段によって取得された情報を用いて、前記繰り出し量に応じて表示用情報を生成する生成手段と、前記フレキシブルディスプレイを制御して、前記生成手段によって生成された表示用情報を表示する表示制御手段と、を備え、前記生成手段は、前記現在地点の周辺の所定範囲の地図と、前記所定範囲に対して前記移動体の進行方向に隣接した地域であって前記繰り出し量に応じた範囲の地図と、をあらわす表示用情報を生成することを特徴とする。
［０００８］
また、請求項７の発明にかかる表示方法は、移動体の現在地点を含む地図を表示する表示装置の表示方法において、可撓性を有するフレキシブルディスプレイを所定方向に巻回した状態でハウジング内に収容するとともに、収容された前記フレキシブルディスプレイを前記ハウジング外へ繰り出し自在に保持する収容保持工程と前記ハウジング外へ繰り出された前記フレキシブルディスプレイの繰り出し量に関する情報を取得する取得工程と、前記取得工程によって取得された情報を用いて、前記繰り出し量に応じて表示用情報を生成する生成工程と、前記フレキシブルディスプレイを制御して、前記生成工程によって生成された表示用情報を表示する表示制御工程と、を含み、前記生成工程では、前記現在地点の周辺の所定範囲の地図と、前記所定範囲に対して前記移動体の進行方向に隣接した地域であって前記繰り出し量に応じた範囲の地図と、をあらわす表示用情報を生成することを特徴とする。
［０００９］
また、請求項８の発明にかかる表示プログラムは、請求項７に記載の表示方法をコンピュータに実行させることを特徴とする。
［００１０］
また、請求項９の発明にかかるコンピュータに読み取り可能な記録媒体は、請求項８に記載の表示プログラムを記録したことを特徴とする。
図面の簡単な説明
【手続補正書】
【提出日】平成21年5月22日(2009.5.22)
【手続補正１】
【補正対象書類名】明細書
【補正対象項目名】全文
【補正方法】変更
【補正の内容】
【発明の詳細な説明】
【技術分野】
【０００１】
この発明は、映像を表示する表示装置、表示方法、表示プログラム、およびコンピュータに読み取り可能な記録媒体に関する。ただし、この発明の利用は、上述の表示装置、表示方法、表示プログラム、およびコンピュータに読み取り可能な記録媒体に限らない。
【背景技術】
【０００２】
従来、たとえば、車両などの移動体に搭載されたナビゲーション装置には、現在位置情報、走行経路情報、および地図情報などを表示するディスプレイを備えるものがあった。ナビゲーション装置には、たとえば、インダッシュ型のナビゲーション装置に代表されるように、ナビゲーション装置本体と一体に設けられたディスプレイを備えるものがあった。また、従来、たとえば、ディスプレイを大型化させ、詳細な地図情報を表示するようにした車載用音響機器に関する技術があった（たとえば、下記特許文献１参照。）。
【０００３】
また、従来のナビゲーション装置においては、たとえば、所定のキー操作をおこなうことによって、現在地点から目的地点までの経路情報など、ユーザが所望する任意の情報をディスプレイに表示するようにしたものがあった。
【先行技術文献】
【特許文献】
【０００４】
【特許文献１】特開平１１−３０８５５３号公報
【発明の概要】
【発明が解決しようとする課題】
【０００５】
しかしながら、上述した特許文献１に記載された従来の技術では、ディスプレイを大型化することで詳細な地図情報を表示することができるが、ディスプレイに情報を表示していない場合にも、車両内の空間がディスプレイに占有されることとなり、限られた空間を有効活用しきれていないという問題が一例として挙げられる。
【０００６】
また、従来の技術では、ディスプレイの大きさはディスプレイを支持するナビゲーション装置本体の大きさに依存する傾向にあり、限られた空間を有効活用するためにナビゲーション装置の小型化を図ると、ナビゲーション装置の小型化にともなってディスプレイの大きさが小さくなり、表示できる情報量が限られてしまうという問題が一例として挙げられる。このため、たとえば、現在地点から目的地点までの経路情報すべてを一画面内に表示しきることができず、経路の全容を把握するために画面を切り替えなければならず煩わしいという問題があった。
【課題を解決するための手段】
【０００７】
上述した課題を解決し、目的を達成するため、請求項１の発明にかかる表示装置は、可撓性を有するフレキシブルディスプレイを所定方向に巻回した状態でハウジング内に収容するとともに、収容された前記フレキシブルディスプレイを前記ハウジング外へ繰り出し自在に保持する収容保持手段と、前記ハウジング外へ繰り出された前記フレキシブルディスプレイの繰り出し量に関する情報を取得する取得手段と、前記取得手段によって取得された情報を用いて、前記繰り出し量に応じて表示用情報を生成する生成手段と、前記フレキシブルディスプレイを制御して、前記生成手段によって生成された表示用情報を表示する表示制御手段と、を備え、前記生成手段は、前記繰り出し量に応じた数の任意の地点およびその周辺の所定範囲の地図をそれぞれあらわす表示用情報を生成することを特徴とする。
【０００８】
また、請求項２の発明にかかる表示方法は、可撓性を有するフレキシブルディスプレイを所定方向に巻回した状態でハウジング内に収容するとともに、収容された前記フレキシブルディスプレイを前記ハウジング外へ繰り出し自在に保持する収容保持工程と、前記ハウジング外へ繰り出された前記フレキシブルディスプレイの繰り出し量に関する情報を取得する取得工程と、前記取得工程によって取得された情報を用いて、前記繰り出し量に応じて表示用情報を生成する生成工程と、前記フレキシブルディスプレイを制御して、前記生成工程によって生成された表示用情報を表示する表示制御工程と、を含み、前記生成工程では、前記繰り出し量に応じた数の任意の地点およびその周辺の所定範囲の地図をそれぞれあらわす表示用情報を生成することを特徴とする。
【０００９】
また、請求項３の発明にかかる表示プログラムは、請求項２に記載の表示方法をコンピュータに実行させることを特徴とする。
【００１０】
また、請求項４の発明にかかるコンピュータに読み取り可能な記録媒体は、請求項３に記載の表示プログラムを記録したことを特徴とする。
【図面の簡単な説明】
【００１１】
【図１】本実施の形態にかかる表示装置の機能的構成の一例を示すブロック図である。
【図２】本実施の形態にかかる表示装置の処理手順を示すフローチャートである。
【図３−１】本実施例にかかるナビゲーション装置の外観を示す説明図（その１）である。
【図３−２】本実施例にかかるナビゲーション装置の外観を示す説明図（その２）である。
【図３−３】本実施例にかかるナビゲーション装置の外観を示す説明図（その３）である。
【図４】フレキシブルディスプレイの収容時におけるナビゲーション装置の断面図である。
【図５】フレキシブルディスプレイの繰り出し時におけるナビゲーション装置の断面図である。
【図６】ナビゲーション装置のハードウェア構成を示すブロック図である。
【図７】表示領域変更モードにおける表示画面例を示す説明図である。
【図８】画面サイズ変更モードにおける表示画面例を示す説明図である。
【図９】画面数変更モードにおける表示画面例を示す説明図である。
【図１０】本実施例にかかるナビゲーション装置の処理手順を示すフローチャートである。
【発明を実施するための形態】
【００１２】
以下に添付図面を参照して、本発明にかかる表示装置、表示方法、表示プログラムおよびコンピュータに読み取り可能な記録媒体の好適な実施の形態を詳細に説明する。
【００１３】
（表示装置の機能的構成）
図１は、本実施の形態にかかる表示装置の機能的構成の一例を示すブロック図である。図１に示したように、この発明の実施の形態にかかる表示装置１００は、フレキシブルディスプレイ１０１と、取得部１０２と、生成部１０３と、表示制御部１０４と、から構成されている。
【００１４】
フレキシブルディスプレイ１０１は、図示しない収容保持部によって、所定方向に巻回した状態で表示装置１００のハウジング内（以下、ハウジング内という）に収容されるとともに、収容されたフレキシブルディスプレイ１０１は表示装置１００のハウジング外（以下、ハウジング外という）へ繰り出し自在に保持されている。
【００１５】
フレキシブルディスプレイ１０１は、生成部１０３によって生成された表示用情報を表示制御部１０４の制御にしたがって、ユーザが認識可能に表示する。ここで、表示用情報とは、たとえば、任意の地点およびその周辺の所定範囲の地図をフレキシブルディスプレイ１０１に表示させるための情報である。任意の地点とは、自装置の現在地点であってもよいし、ユーザに特定された地点であってもよい。フレキシブルディスプレイ１０１は、たとえば、発光素子を柔軟なプラスチックなどのフィルムではさんだ構造を有したディスプレイである。
【００１６】
取得部１０２は、たとえば、ハウジング外へ繰り出されたフレキシブルディスプレイ１０１の繰り出し量が変化した場合に、ハウジング外へ繰り出されたフレキシブルディスプレイ１０１の繰り出し量に関する情報を取得する。ここで、繰り出し量に関する情報とは、たとえば、表示領域の大きさを特定可能な情報である。表示領域とは、たとえば、フレキシブルディスプレイ１０１のハウジング外に繰り出されたユーザが認識可能な部分の領域である。繰り出し量に関する情報は、たとえば、フレキシブルディスプレイ１０１と機械的に接続された歯車などに対し、反射型フォトセンサやロータリーエンコーダなどの各種センサを用いることで取得することができる。
【００１７】
生成部１０３は、取得部１０２によって取得された情報を用いて、繰り出し量に応じて表示用情報を生成する。また、生成部１０３は、任意の地点およびその周辺の所定範囲の地図を、繰り出し量に応じて拡大または縮小した地図をあらわす表示用情報を生成することとしてもよい。
【００１８】
また、生成部１０３は、任意の地点およびその周辺の所定範囲の地図と、所定の範囲に隣接した地域であって繰り出し量に応じた範囲の地図と、をあらわす表示用情報を生成することとしてもよい。たとえば、フレキシブルディスプレイ１０１に現在走行中の経路周辺の表示用情報が表示されている場合、表示領域を増加させると、増加した分の表示領域には現在走行中の経路周辺の表示用情報に隣接した地域の表示用情報が表示される。
【００１９】
また、生成部１０３は、繰り出し量に応じた数の任意の地点およびその周辺の所定範囲の地図をそれぞれあらわす表示用情報を生成することとしてもよい。たとえば、フレキシブルディスプレイ１０１に、現在走行中の経路周辺の表示用情報が表示されている場合、表示領域を増加させると、増加した分の表示領域には目的地点周辺や経由地点周辺の表示用情報が表示される。
【００２０】
また、生成部１０３は、図示しない選択部と接続し、各種表示モードのユーザによる選択を可能として、あらかじめ選択された表示モードに基づいた表示用情報を生成することとしてもよい。ここで、選択部とは、あらかじめ記憶されている複数の表示モード情報のうち、ユーザの選択により、決定された表示モード情報を記憶し、選択された表示モード情報を生成部１０３に送信する機能を有したものである。ここで、表示モード情報とは、あらかじめ記憶されている各表示モードの表示の形式を特定する情報である。
【００２１】
表示制御部１０４は、フレキシブルディスプレイ１０１を制御して、生成部１０３によって生成された表示用情報を表示する。表示制御部１０４は、たとえば、生成部１０３によって、生成された表示用情報に基づいて、フレキシブルディスプレイ１０１が表示可能な信号情報に変換し、フレキシブルディスプレイ１０１に表示する。
【００２２】
（表示装置１００の処理手順）
つぎに、図２を用いて、本実施の形態にかかる表示装置１００の処理手順について説明する。図２は、本実施の形態にかかる表示装置の処理手順を示すフローチャートである。図２のフローチャートにおいて、まず、フレキシブルディスプレイ１０１の繰り出し量に変化があるまで待機する（ステップＳ２０１：Ｎｏのループ）。繰り出し量に変化があった場合（ステップＳ２０１：Ｙｅｓ）には、取得部１０２によって、繰り出し量に関する情報を取得する（ステップＳ２０２）。
【００２３】
取得部１０２によって、繰り出し量に関する情報を取得したのち、生成部１０３は、取得された繰り出し量に関する情報に応じて表示用情報を生成する（ステップＳ２０３）。そして、生成された表示用情報を表示制御部１０４によってフレキシブルディスプレイ１０１に表示（ステップＳ２０４）し、一連の処理を終了する。
【００２４】
上述したように、本実施の形態の表示装置１００によれば、ハウジング内からハウジング外へ繰り出されたフレキシブルディスプレイ１０１の繰り出し量に応じた表示用情報を、フレキシブルディスプレイ１０１に表示することができる。これによって表示装置１００は、限られた空間を有効活用して、ユーザの要望に応じた量の情報を簡単に表示することができる。そして、これによって表示装置１００のユーザは、所望する量の情報を簡単に得ることができる。
【００２５】
また、本実施の形態の表示装置１００によれば、任意の地点およびその周辺の所定範囲の地図を、フレキシブルディスプレイ１０１の繰り出し量に応じて拡大または縮小し、フレキシブルディスプレイ１０１に表示することができる。これによって表示装置１００は、地図情報の表示縮尺の切り替え操作がない場合にも、拡大された詳細な表示用情報を表示することができる。そして、これによって表示装置１００のユーザは、所望する量の情報を簡単に得ることができる。
【００２６】
また、本実施の形態の表示装置１００によれば、任意の地点およびその周辺の所定範囲の地図と、所定の範囲に隣接した地域であってフレキシブルディスプレイ１０１の繰り出し量に応じた範囲の地図を、フレキシブルディスプレイ１０１の繰り出し量に応じて、フレキシブルディスプレイ１０１に表示することができる。これによって表示装置１００は、地図情報をスクロールさせることなく、任意の地点周辺の地図を広範囲に亘って表示することができる。そして、これによって表示装置１００のユーザは、所望する情報を全体に亘って簡単に得ることができる。
【００２７】
また、本実施の形態の表示装置１００によれば、フレキシブルディスプレイ１０１の繰り出し量が所定値以上の場合には、一画面内に複数の情報を表示することができる。これによって表示装置は、一度に複数の情報を提供することができる。そして、これによって表示装置１００のユーザは、同時に複数の表示用情報を参照することができる。
【００２８】
また、本実施の形態の表示装置１００によれば、フレキシブルディスプレイ１０１の繰り出し量に応じた、任意の数の地点およびその周辺の所定範囲の地図を表示することができる。これによって、表示装置１００のユーザは、同時に複数の地点の地図を参照することができる。
【００２９】
また、本実施の形態の表示装置１００によれば、任意の地点間を結ぶルート全体をあらわす地図をフレキシブルディスプレイ１０１の繰り出し量に応じて拡大または縮小し、フレキシブルディスプレイ１０１に表示することができる。これによって表示装置１００は、地図情報をスクロールさせることなく、任意の地点間を結ぶルート全体を表示することができる。そして、これによって表示装置１００のユーザは、所望する情報を全体に亘って簡単に得ることができる。
【実施例】
【００３０】
つぎに、上述した実施の形態にかかる実施例について説明する。以下に説明する実施例は、上述した実施の形態の表示装置を、車両などの移動体に搭載されるナビゲーション装置に適用した例である。
【００３１】
（ナビゲーション装置の外観）
図３−１〜図３−３は、本実施例にかかるナビゲーション装置の外観を示す説明図（（その１）〜（その３））である。図３−１〜図３−３に示したように、実施例のナビゲーション装置３００は、長方体形状のナビゲーション装置本体３０１において符号Ａであらわされる面をユーザ側に向けた状態で、車両などの移動体に設置される。また、ナビゲーション装置本体３０１において符号Ａであらわす面には、スリット３０１ａが開口されている。スリット３０１ａは、ナビゲーション装置本体３０１において符号Ａであらわす面に所定の面積を有するように開口された開口部である。ここで、所定の面積とは、フレキシブルディスプレイ３０２がスリット３０１ａを介して、ハウジング内外に変位することが十分可能な面積である。
【００３２】
ナビゲーション装置本体３０１の内部には、長尺状のフレキシブルディスプレイ３０２が、長手方向に巻回された状態で収容されている。フレキシブルディスプレイ３０２としては、たとえば、物理的な柔軟性を備えるフレキシブルディスプレイを用いることができる。公知の技術であるため図示および説明を省略するが、フレキシブルディスプレイは、発光素子をプラスチックなどのフィルムではさんだ構造を有している。
【００３３】
フレキシブルディスプレイにおける発光素子としては、たとえば、有機ＥＬ（Ｏａｒｇａｎｉｃ  Ｅｌｅｃｔｒｏｌｕｍｉｎｅｓｃｅｎｃｅ）現象を利用した有機ＥＬ素子や、液晶分子を配向制御することによりバックライトの光を選択的に透過させる液晶素子、あるいは、電子粉流体などを用いることができる。
【００３４】
フレキシブルディスプレイ３０２には、フレキシブルディスプレイ３０２の長手方向に直交する幅方向の両端部付近に一定の間隔で送り穴３０２ａが設けられている。送り穴３０２ａは、フレキシブルディスプレイ３０２の幅方向の端に沿って、長手方向両端間に一直線上に設けられた開口部である。送り穴３０２ａは、歯車付きシャフト（図４中符号４１０および４２０を参照。）の歯車が噛み合わされており、フレキシブルディスプレイ３０２を所定の方向に案内する。
【００３５】
フレキシブルディスプレイ３０２における長手方向の一端側は、ナビゲーション装置本体３０１内に設けられた歯車付きシャフト（図４中符号４１０を参照。）に取り付けられている。歯車付きシャフト（図４中符号４１０を参照。）により、フレキシブルディスプレイ３０２は、ナビゲーション装置本体３０１内に設けられた図示しない付勢機構によって巻回する方向に付勢されている。
【００３６】
フレキシブルディスプレイ３０２における長手方向の他端側は、上述のスリット３０１ａを介して、ナビゲーション装置本体３０１外部に位置づけられた取っ手３０３に取り付けられている。取っ手３０３の外形サイズは、スリット３０１ａの開口部分のサイズよりも大きい。これにより、取っ手３０３は、スリット３０１ａを介することができない。すなわち、フレキシブルディスプレイ３０２において長手方向の他端側は、常時ナビゲーション装置本体３０１の外側に位置づけられている。
【００３７】
ナビゲーション装置本体３０１には、取っ手３０３の両端部を保持可能な突起部を備えるステイ３０４が設けられている。突起部は、取っ手３０３と同程度の高さを有している。フレキシブルディスプレイ３０２をナビゲーション装置本体３０１外部に引き出した状態でステイ３０４における突起に取っ手３０３を引っ掛けることで、フレキシブルディスプレイ３０２の撓みを抑え、安定して固定できる。
【００３８】
取っ手３０３をナビゲーション装置本体３０１から離間する方向へ移動させると、取っ手３０３の移動にともなって、フレキシブルディスプレイ３０２がナビゲーション装置本体３０１内部からナビゲーション装置本体３０１外部へ繰り出される。また、上述した付勢機構により、取っ手３０３を把持して引っ張るなど、取っ手３０３に対して外力を加えてフレキシブルディスプレイ３０２をナビゲーション装置本体３０１外部へ引き出した状態で、取っ手３０３に対する外力を解放し、ユーザが図示しないディスプレイ収容ボタンを押下すると、フレキシブルディスプレイ３０２は巻回した状態へと戻る。
【００３９】
つぎに、図４および図５を用いて、本実施例にかかるナビゲーション装置本体３０１の内部構造について説明する。図４は、フレキシブルディスプレイの収容時におけるナビゲーション装置の断面図である。図５は、フレキシブルディスプレイの繰り出し時におけるナビゲーション装置の断面図である。図４および図５に示したように、ナビゲーション装置本体３０１内部には、歯車付きシャフト４１０と、歯車付きシャフト４２０と、反射型フォトセンサ部４３０と、が備えられている。
【００４０】
歯車付きシャフト４１０は、軸４１０ａと、２つの歯車４１１と、歯車４１２と、ストッパ４１３と、ストッパ解除レバー４１４と、図示しないぜんまいバネと、を備えている。歯車４１１は、ピッチがフレキシブルディスプレイ３０２に設けられた送り穴３０２ａの間隔と同等の歯車である。歯車４１２は、ストッパ用の歯車で任意のピッチの歯車である。ストッパ４１３は、固定部４１３ａを中心として回転する爪部４１３ｂを有するものである。ストッパ解除レバー４１４も、ストッパ４１３と同様に、固定部４１４ａを中心として回転する爪部４１４ｂを有するものである。
【００４１】
歯車付きシャフト４１０には、図４および図５に示した断面図の手前方向から、図４および図５において反時計まわりに巻かれたぜんまいバネが、一端をナビゲーション装置本体３００のハウジング面（以下、単に「ハウジング面」という）に、他端を軸４１０ａに固定された状態で備えられている。ぜんまいバネから所定の距離を置いて、歯車４１２が、軸４１０ａを中心として軸４１０ａに固定されている。
【００４２】
歯車４１２付近のハウジング面には、ストッパ４１３が取り付けられており、歯車４１２の歯部分にストッパ４１３の爪部４１３ｂが当てられている。また、ストッパ４１３の下部のハウジング面には、ストッパ解除レバー４１４が取り付けられている。上述のストッパ解除レバー４１４にはモータが備えられている。歯車４１２から所定の距離を置いて、１つ目の歯車４１１が軸４１０ａを中心として軸４１０ａに固定されており、所定の距離を置いて、２つ目の歯車４１１が同じ形態で軸４１０ａに固定されている。なお、図４および図５において、２つ目の歯車４１１は、１つ目の歯車４１１の影になっている。
【００４３】
歯車付きシャフト４２０は、軸４２０ａと、２つの歯車４２１と、歯車４２２と、を備えている。ここで、歯車４２１は歯車４１１と同様の形状であり、歯車４２２は歯車４１２と同様の形状である。すなわち、歯車付きシャフト４２０は、上述した歯車付きシャフト４１０から、ストッパ４１３と、ストッパ解除レバー４１４と、ぜんまいバネと、を外したもので、他は同一の形状である。
【００４４】
図示を省略するが、反射型フォトセンサ部４３０は、反射型フォトセンサと、増幅器と、マイクロプロセッサと、を備えている。反射型フォトセンサは、同方向を向いた、受光素子と発光素子とを備えており、発光素子が発光した光を歯車４２２に当て、反射してくる光の有無を受光素子で検知する機能を備えたセンサである。増幅器は、反射型フォトセンサからの入力信号を増幅して出力する機能を備えた電子回路である。マイクロプロセッサは、増幅器からの入力信号をＡ／Ｄ変換し、パルス信号とする機能を備えた集積回路である。
【００４５】
すなわち、反射型フォトセンサ部４３０は、反射型フォトセンサが検知した信号を、ＣＰＵが処理可能な信号として出力する機能を備えた測定装置である。反射型フォトセンサ部４３０は、歯車付きシャフト４２０の歯車４２２の歯部分の位置に光を当てることが可能なハウジング面に設置されている。
【００４６】
図４に示したように、フレキシブルディスプレイ３０２は本体内に収容されている場合には、歯車付きシャフト４１０の外周上に巻回している。ここで、ユーザが、詳細な情報を必要とした場合などに、フレキシブルディスプレイ３０２を前方（図４および図５左方向。以下、単に前方という）に引き出そうとする。このとき、フレキシブルディスプレイ３０２は、前方向の力を受け、前方へ変位を開始する。
【００４７】
ここで、フレキシブルディスプレイ３０２の幅方向の端部付近には、上述したように、送り穴３０２ａが開口されている。上述の送り穴３０２ａは、歯車付きシャフト４１０の歯車４１１と噛み合わされており、フレキシブルディスプレイ３０２が前方へ変位したとき、歯車付きシャフト４１０は、図５矢印Ｔ方向のトルクを受け、矢印Ｔ方向へ回転を開始する。また、歯車付きシャフト４２０の歯車４２１も、上述の送り穴３０２ａと噛み合わせられおり、これにより、歯車付きシャフト４２０も歯車付きシャフト４１０と同様の回転を開始する。
【００４８】
また、反射型フォトセンサ部４３０は、回転する歯車付きシャフト４２０の歯車４２２の歯部分に光を当てる。歯車付きシャフト４２０の歯車４２２が回転するたびに、歯による反射の有無が繰り返され、上述の有無を反射型フォトセンサ部４３０で検出し、パルス信号へと変換する。その後、上述のパルス信号をカウントし、フレキシブルディスプレイ３０２の収容位置からの繰り出し量を算出する。そして、フレキシブルディスプレイ３０２が所望の長さになった場合、ユーザは、取っ手３０３を上述のステイ３０４に引っ掛け、フレキシブルディスプレイ３０２を固定する。また、ユーザは、フレキシブルディスプレイ３０２の長さに合った位置のステイ３０４を選択することで、フレキシブルディスプレイ３０２の撓みを抑え、安定して固定することが可能となる。
【００４９】
上述したように、歯車付きシャフト４１０には、ぜんまいバネが固定されている。上述のぜんまいバネの復元力によって、歯車付きシャフト４１０は、図４および図５において時計まわりに回転する力が加えられている。しかし、歯車付きシャフト４１０の歯車４１２には、上述したように、ストッパ４１３が噛まされている。このストッパ４１３により、歯車付きシャフト４１０は、ラチェット構造を有しており、上述の復元力に対する抵抗力が働いているため、図４および図５において時計まわりに作用する復元力は抑えられている。
【００５０】
つぎに、フレキシブルディスプレイ３０２の収容時における各構成の動作について説明する。ユーザが、フレキシブルディスプレイ３０２を収容する場合は、まず、ユーザは、上述の取っ手３０３をステイ３０４から解放する。そして、ユーザはディスプレイ収容ボタン（図示しない）を押下する。ディスプレイ収容ボタンが押下された場合、モータによりストッパ解除レバー４１４の爪部４１４ｂがストッパ４１３方向へ回転し、ストッパ４１３を押し上げる。
【００５１】
ストッパ４１３は上述したように、歯車付きシャフト４１０の歯車４１２と噛み合わされているが、ストッパ解除レバー４１４によって、上部へ押し上げられることにより、ストッパ４１３が歯車４１２より離れる。このとき、歯車付きシャフト４１０に固定されているぜんまいバネの復元力により、歯車付きシャフト４１０は、図４および図５において時計まわりに回転する。
【００５２】
フレキシブルディスプレイ３０２の一端側は歯車付きシャフト４１０の外周上の一点に固定されているので、上述したように歯車付きシャフト４１０が時計まわりに回転することにより、フレキシブルディスプレイ３０２は、図４および図５において右方向へ変位する。これにより、上述した引き出し時とは逆の動作がおこなわれることとなる。なお、フレキシブルディスプレイ３０２が完全に収容されたときに上述した反射型フォトセンサ部４３０のパルスカウント量はリセットされる。
【００５３】
（ナビゲーション装置３００のハードウェア構成）
つぎに、図６を用いて、本実施例にかかるナビゲーション装置３００のハードウェア構成について説明する。図６はナビゲーション装置のハードウェア構成を示すブロック図である。図６において、ナビゲーション装置３００は、車両などの移動体に搭載されており、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、マイク６０９と、スピーカ６１０と、入力デバイス６１１と、映像Ｉ／Ｆ６１２と、フレキシブルディスプレイ３０２と、カメラ６１３と、通信Ｉ／Ｆ６１４と、ＧＰＳユニット６１５と、各種センサ６１６と、を備えている。また、各構成部３０２、６０１〜６１６はバス６２０によってそれぞれ接続されている。
【００５４】
まず、ＣＰＵ６０１は、ナビゲーション装置３００の全体の制御を司る。ＲＯＭ６０２には、ブートプログラム、現在地点特定プログラム、経路探索プログラム、経路誘導プログラム、音声生成プログラム、地図情報表示プログラム、通信プログラム、データベース作成プログラム、データ解析プログラムなどのプログラムが記録されている。また、ＲＡＭ６０３は、ＣＰＵ６０１のワークエリアとして使用される。
【００５５】
現在地点特定プログラムは、たとえば、後述するＧＰＳユニット６１５および各種センサ６１６の出力情報に基づいて、車両の現在地点（ナビゲーション装置３００の現在地点）を特定させる。
【００５６】
経路探索プログラムは、後述する磁気ディスク６０５または光ディスク６０７に記録されている地図情報などを利用して、出発地点から目的地点までの最適な経路や、当該最適な経路を外れた場合の迂回経路を探索させる。ここで、最適な経路とは、目的地点までにかかるコストが最小の経路やユーザが指定した条件に最も合致する経路などである。経路探索プログラムを実行することによって探索された誘導経路は、ＣＰＵ６０１を介して音声Ｉ／Ｆ６０８や映像Ｉ／Ｆ６１２へ出力される。
【００５７】
経路誘導プログラムは、経路探索プログラムを実行することによって探索された誘導経路情報、現在地点特定プログラムを実行することによって特定された車両の現在地点情報、磁気ディスク６０５または光ディスク６０７から読み出された地図情報に基づいて、リアルタイムな経路誘導情報の生成をおこなわせる。経路誘導プログラムを実行することによって生成された経路誘導情報は、ＣＰＵ６０１を介して音声Ｉ／Ｆ６０８や映像Ｉ／Ｆ６１２へ出力される。
【００５８】
音声生成プログラムは、パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこなわせる。音声ガイダンス情報には、たとえば、右左折地点を経路通りに右左折すべき旨の警報、右左折地点の手前で減速すべき旨の警報、右左折し損なった場合の迂回経路についての情報や、右左折し損なった場合に引き返すべき旨の案内情報が含まれる。生成された音声ガイダンス情報はＣＰＵ６０１を介して音声Ｉ／Ｆ６０８へ出力される。
【００５９】
地図情報表示プログラムは、映像Ｉ／Ｆ６１２によって磁気ディスク６０５または光ディスク６０７から読み出された地図情報をフレキシブルディスプレイ３０２に表示させる。
【００６０】
磁気ディスクドライブ６０４は、ＣＰＵ６０１の制御にしたがって磁気ディスク６０５に対するデータの読み取り／書き込みを制御する。磁気ディスク６０５には、磁気ディスクドライブ６０４の制御で書き込まれたデータが記録される。磁気ディスク６０５としては、たとえば、ＨＤ（ハードディスク）やＦＤ（フレキシブルディスク）を用いることができる。
【００６１】
光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータの読み出される着脱自在な記録媒体である。光ディスク６０７は、書き込み可能な記録媒体を利用することもできる。また、この着脱可能な記録媒体として、光ディスク６０７のほか、ＭＯ、メモリカードなどであってもよい。
【００６２】
磁気ディスク６０５または光ディスク６０７に記録される情報の一例として、経路探索・経路誘導などに用いる地図情報が挙げられる。地図情報は、建物、河川、地点表面などの地点物（フィーチャ）を表す背景データと、道路の形状を表す道路形状データとを有しており、フレキシブルディスプレイ３０２の表示画面において２次元または３次元に描画される。
【００６３】
道路形状データは、さらに交通条件データを有する。交通条件データには、たとえば、各ノードについて、信号や横断歩道などの有無、高速道路の出入口やジャンクションの有無、各リンクについての長さ（距離）、道幅、進行方向、道路種別（高速道路、有料道路、一般道路）などの情報が含まれている。
【００６４】
また、交通条件データには、過去の渋滞情報を、季節・曜日・大型連休・時刻などを基準に統計処理した過去渋滞情報を記憶している。ナビゲーション装置３００は、後述する通信Ｉ／Ｆ６１４によって受信される道路交通情報によって現在発生している渋滞の情報を得るが、過去渋滞情報により、指定した時刻における渋滞状況の予想をおこなうことが可能となる。
【００６５】
なお、本実施例では地図情報を磁気ディスク６０５または光ディスク６０７に記録するようにしたが、これらに限るものではない。地図情報は、ナビゲーション装置３００のハードウェアと一体に設けられているものに限って記録されているものではなく、ナビゲーション装置３００の外部に設けられていてもよい。その場合、ナビゲーション装置３００は、たとえば、通信Ｉ／Ｆ６１４を通じて、ネットワークを介して地図情報を取得する。取得された地図情報はＲＡＭ６０３などに記憶される。
【００６６】
音声Ｉ／Ｆ６０８は、音声入力用のマイク６０９および音声出力用のスピーカ６１０に接続される。マイク６０９に受音された音声は、音声Ｉ／Ｆ６０８内でＡ／Ｄ変換される。また、スピーカ６１０からは音声が出力される。なお、マイク６０９から入力された音声は、音声データとして磁気ディスク６０５あるいは光ディスク６０７に記録可能である。
【００６７】
入力デバイス６１１は、文字、数値、各種指示などの入力のための複数のキーを備えたリモコン、キーボード、マウス、タッチパネルなどが挙げられる。入力デバイス６１１は、ユーザによって選択されたキーに対応するデータを装置内部へ入力する。
【００６８】
映像Ｉ／Ｆ６１２は、フレキシブルディスプレイ３０２およびカメラ６１３と接続される。映像Ｉ／Ｆ６１２は、具体的には、たとえば、フレキシブルディスプレイ３０２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、フレキシブルディスプレイ３０２を表示制御する制御ＩＣなどによって構成される。
【００６９】
フレキシブルディスプレイ３０２には、アイコン、カーソル、メニュー、ウインドウ、あるいは文字や画像などの各種データが表示される。このフレキシブルディスプレイ３０２は、たとえば、一例として有機ＥＬディスプレイなどの、物理的な柔軟性を有するディスプレイを採用することができる。フレキシブルディスプレイ３０２は、車両に複数備えられていてもよく、たとえば、運転者に対するものと後部座席に着座する搭乗者に対するものなどである。
【００７０】
カメラ６１３は、車両内部あるいは外部の映像を撮影する。映像は静止画あるいは動画のどちらでもよく、たとえば、カメラ６１３によって車両内部の搭乗者の挙動を撮影し、撮影した映像を映像Ｉ／Ｆ６１２を介してＣＰＵ６０１あるいは磁気ディスク６０５や光ディスク６０７などの記録媒体に出力する。
【００７１】
また、カメラ６１３によって車両外部の状況を撮影し、撮影した映像を映像Ｉ／Ｆ６１２を介して磁気ディスク６０５や光ディスク６０７などの記録媒体に出力する。ＣＰＵ６０１に出力された映像は、たとえば、搭乗者の特定挙動の決定に用いられる。また、記録媒体に出力された映像は、ドライブレコーダ用画像として上書き記録や保存がおこなわれる。
【００７２】
通信Ｉ／Ｆ６１４は、無線を介してネットワークに接続され、ナビゲーション装置３００とＣＰＵ６０１とのインターフェースとして機能する。通信Ｉ／Ｆ６１４は、さらに、無線を介してインターネットなどの通信網に接続され、この通信網とＣＰＵ６０１とのインターフェースとしても機能する。また、通信Ｉ／Ｆ６１４は、テレビ放送やラジオ放送を受信する。
【００７３】
通信網には、ＬＡＮ、ＷＡＮ、公衆回線網や携帯電話網などがある。具体的には、通信Ｉ／Ｆ６１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規則などの道路交通情報を取得する。なお、ＶＩＣＳは登録商標である。
【００７４】
ＧＰＳユニット６１５は、ＧＰＳ衛星からの電波を受信し、車両の現在地点を示す情報を算出する。ＧＰＳユニット６１５の出力情報は、後述する各種センサ６１６の出力値とともに、ＣＰＵ６０１による車両の現在地点の特定に際して利用される。現在地点を示す情報は、たとえば緯度・経度、高度などの、地図情報上の１点を特定する情報である。
【００７５】
各種センサ６１６は、車速センサや加速度センサ、角速度センサなどの、車両の位置や挙動を決定することが可能な情報を出力する。各種センサ６１６の出力値は、ＣＰＵ６０１による車両の現在地点の特定や、速度や方位の変化量の測定などに用いられる。
【００７６】
なお、図１に示した実施の形態にかかる表示装置１００の取得部１０２は各種センサ６１６によって、生成部１０３はＣＰＵ６０１およびＲＡＭ６０３によって、表示制御部１０４はＣＰＵ６０１、ＲＡＭ６０３および映像Ｉ／Ｆ６１２によって、フレキシブルディスプレイ１０１はフレキシブルディスプレイ３０２によって、それぞれの機能を実現することができる。
【００７７】
（ナビゲーション装置３００における表示モード）
つぎに、ナビゲーション装置３００における各種表示モードの説明をする。ユーザは、あらかじめナビゲーション装置３００において表示モードを設定しておくことで、フレキシブルディスプレイ３０２を繰り出した場合に、設定された表示モードに基づいた情報をフレキシブルディスプレイ３０２に表示することが可能である。たとえば、以下のモードがある。
【００７８】
（表示領域変更モード）
図７は、表示領域変更モードにおける表示画面例を示す説明図である。図７に示したように、表示領域変更モードにおいて、フレキシブルディスプレイ３０２の繰り出し量が少ない場合、フレキシブルディスプレイ３０２には、表示用情報７０１が表示される。このとき、ユーザによって、フレキシブルディスプレイ３０２がさらに繰り出されると、表示領域には、表示用情報７０１と表示用情報７０１に隣接した地域の表示用情報７０３が表示される。これにより、自車アイコン７０２の前方の表示用情報７０３内にある経路情報が表示される。図７に示すように、ユーザは、縮尺を小さくして詳細な表示用情報を犠牲にすることもなく、表示用情報をスクロールさせて自車アイコン７０２周辺の表示用情報を犠牲することもなくして、隣接した地域の経路情報を参照できる。
【００７９】
以上説明したように、表示領域変更モードは、フレキシブルディスプレイ３０２の表示領域に合わせて、任意の地点およびその周辺の表示用情報と、その表示用情報に隣接した地域の表示用情報を表示するモードである。ナビゲーション画面は、たとえば、ヘディングアップ状態（進行方向を画面上部に向ける状態）で使用する場合がある。ヘディングアップ状態の場合には、表示用情報がディスプレイの縦方向（上から下）へとスクロールする。ユーザは、表示領域変更モードを使用することにより、自車前方（自車位置より上側）の経路情報を遠くまで表示させることができる。これにより、進行予定の経路情報を広く把握することができる。
【００８０】
（画面サイズ変更モード）
図８は、画面サイズ変更モードにおける表示画面例を示す説明図である。図８に示したように、画面サイズ変更モードにおいて、フレキシブルディスプレイ３０２の繰り出し量が少ない場合、フレキシブルディスプレイ３０２の表示領域は表示領域８０１に示すとおりである。このとき、ユーザによって、フレキシブルディスプレイ３０２がさらに繰り出されると、表示領域は表示領域８０３に拡大され、それにともなって、自車アイコン８０２周辺の表示用情報の縮尺も拡大され、詳細な表示用情報がフレキシブルディスプレイ３０２に表示される。図８に示すように、ユーザは、あらかじめ表示されている表示用情報の範囲を狭くすることなく拡大された詳細な表示用情報を参照できる。
【００８１】
以上説明したように、画面サイズ変更モードは、表示領域に合わせて、表示用情報を拡大もしくは縮小して表示するモードである。たとえば、ユーザは、画面サイズ変更モードを拡大表示で使用することにより、現在走行中の経路に沿った詳細な表示用情報を簡単に認識することができる。また、たとえば、経路に沿って設定されるランドマークが重ならない状態で表示することができる。また、たとえば、現在地点から、目的地点までの全経路情報を表示している場合に、このモードを使用することにより、全経路情報を拡大もしくは縮小して表示することも可能である。
【００８２】
（画面数変更モード）
図９は、画面数変更モードにおける表示画面例を示す説明図である。図９に示したように、画面数変更モードにおいて、フレキシブルディスプレイ３０２の繰り出し量が少ない場合、フレキシブルディスプレイ３０２には、表示領域９０１に表示される。このとき、ユーザによって、フレキシブルディスプレイ３０２がさらに繰り出されると、表示領域９０１の上部に表示領域９０２が現れ、表示領域９０２には、目的地点周辺の表示用情報が表示された目的地点サムネイル９０３と、経由地点周辺の表示用情報が表示された経由地点サムネイル９０４とが表示される。
【００８３】
図９に示すように、ユーザは、自車周辺の表示用情報を犠牲にすることなく、さらに、目的地点周辺の表示用情報や、経由地点周辺の表示用情報を参照することができる。なお、表示領域９０２には、地図情報に限らずＴＶやＤＶＤ等の他ソースからの映像情報を表示することもできる。また、音楽等の音声を出力している際には、音声に関する情報としてプレイリスト等を表示してもよい。
【００８４】
以上説明したように、画面数変更モードは、フレキシブルディスプレイ３０２を複数の領域に分割して、それぞれに独立の情報を表示させるモードである。ユーザは、画面数変更モードを使用することにより、たとえば、走行中の経路周辺の表示用情報を参照しながら、目的地点周辺の表示用情報や経由地点周辺の表示用情報などの他の情報も同時に参照することができる。
【００８５】
（ナビゲーション装置３００の処理手順）
つぎに、本実施例にかかるナビゲーション装置３００の処理手順について説明する。図１０は、本実施例にかかるナビゲーション装置３００の処理手順を示すフローチャートである。図１０に示したナビゲーション装置３００の処理手順は、たとえば、車両の現在走行中の経路周辺の表示用情報がフレキシブルディスプレイ３０２に表示されている状態でおこなわれる。図１０に示したフローチャートにおいて、まず、フレキシブルディスプレイ３０２の繰り出し量が変化するまで待機する（ステップＳ１００１：Ｎｏのループ）。フレキシブルディスプレイ３０２の繰り出し量が変化した場合（ステップＳ１００１：Ｙｅｓ）には、変化後の繰り出し量に関する情報を取得する（ステップＳ１００２）。
【００８６】
変化後の繰り出し量に関する情報を取得したのち、ステップＳ１００１：Ｙｅｓにおいて、表示領域変更モードであるか否かを判定する（ステップＳ１００３）。表示領域変更モードである場合（ステップＳ１００３：Ｙｅｓ）には、表示領域に合わせて表示領域変更モードに基づいた表示用情報を磁気ディスク６０５または光ディスク６０７に記録された地図情報から生成する（ステップＳ１００４）。表示領域変更モードに基づいた表示用情報を生成するとは、たとえば、図７に示したとおりである。ステップＳ１００４において表示領域変更モードに基づいた表示用情報を生成したのち、生成された表示用情報をフレキシブルディスプレイ３０２に表示し（ステップＳ１０１１）、一連の処理を終了する。また、表示領域変更モードでないと判定された場合（ステップＳ１００３：Ｎｏ）には、ステップＳ１００５へと進む。
【００８７】
ステップＳ１００３において、表示領域変更モードでないと判定された場合には、画面サイズ変更モードであるか否かを判定する（ステップＳ１００５）。画面サイズ変更モードである場合（ステップＳ１００５：Ｙｅｓ）には、表示領域に合わせて画面サイズ変更モードに基づいた表示用情報を磁気ディスク６０５または光ディスク６０７に記録された地図情報から生成する（ステップＳ１００６）。画面サイズ変更モードに基づいた表示用情報を生成するとは、たとえば、図８に示したとおりである。ステップＳ１００６において画面サイズ変更モードに基づいた表示用情報を生成したのち、生成された表示用情報をフレキシブルディスプレイ３０２に表示し（ステップＳ１０１１）、一連の処理を終了する。また、画面サイズ変更モードでないと判定された場合（ステップＳ１００５：Ｎｏ）には、ステップＳ１００７へと進む。
【００８８】
ステップＳ１００５において、画面サイズ変更モードでないと判定された場合には、フレキシブルディスプレイ３０２が、分割表示が可能か否かを判定する（ステップＳ１００７）。フレキシブルディスプレイ３０２が、分割表示が可能である場合（ステップＳ１００７：Ｙｅｓ）には、画面数変更モードに基づいた表示用情報を生成する（ステップＳ１００８）。画面数変更モードに基づいた表示用情報を生成するとは、たとえば、図９に示したとおりである。ステップＳ１００８において画面数変更モードに基づいた表示用情報を生成したのち、生成された表示用情報をフレキシブルディスプレイ３０２に表示し（ステップＳ１０１１）、一連の処理を終了する。また、フレキシブルディスプレイ３０２が、分割表示が可能でないと判定された場合（ステップＳ１００７：Ｎｏ）には、ステップＳ１００９へと進む。
【００８９】
ステップＳ１００７において、分割表示が可能でないと判定された場合には、表示が可能か否かを判定する（ステップＳ１００９）。表示が可能である場合には（ステップＳ１００９：Ｙｅｓ）には、表示可能な表示用情報を生成する（ステップＳ１０１０）。表示可能な表示用情報とは、取得された繰り出し量から算出される表示領域に表示可能な表示用情報である。ステップＳ１０１０において表示可能な表示用情報を生成したのち、生成された表示用情報をフレキシブルディスプレイ３０２に表示し（ステップＳ１０１１）、一連の処理を終了する。また、表示が可能でないと判定された場合（ステップＳ１００９：Ｎｏ）には、そのまま一連の処理を終了する。
【００９０】
上述したように、本実施例のナビゲーション装置３００によれば、ナビゲーション装置本体３０１内からナビゲーション装置本体３０１外へ繰り出されたフレキシブルディスプレイ３０２の繰り出し量に応じた表示用情報を、フレキシブルディスプレイ３０２に表示することができる。これによってナビゲーション装置３００は、車両内などの限られた空間を有効活用して、ユーザの要望に応じた量の情報を簡単に表示することができる。これにより、ユーザは、所望する量の情報を簡単に得ることができる。
【００９１】
また、本実施例のナビゲーション装置３００によれば、たとえば、現在地点や目的地点などの任意の地点およびその周辺の所定範囲の表示用情報を、フレキシブルディスプレイ３０２の繰り出し量に応じて拡大または縮小し、フレキシブルディスプレイ３０２に表示することができる。これにより、ユーザは、たとえば、現在走行中の経路に沿った拡大された詳細な表示用情報を表示縮尺の切り替え操作することなく、簡単に表示させることができる。
【００９２】
また、本実施例のナビゲーション装置３００によれば、たとえば、現在地点や目的地点などの任意の地点およびその周辺の所定範囲の地図と、所定の範囲に隣接した地域であってフレキシブルディスプレイ３０２の繰り出し量に応じた範囲の地図を、フレキシブルディスプレイ３０２の繰り出し量に応じて、フレキシブルディスプレイ３０２に表示することができる。これによってナビゲーション装置３００は、地図情報をスクロールさせることなく、任意の地点周辺の地図を広範囲に亘って表示することができる。これにより、ユーザは、たとえば、表示縮尺を変えずに現在走行中の経路周辺の表示用情報とそれに隣接した地域の表示用情報を参照することができる。
【００９３】
また、本実施例のナビゲーション装置３００によれば、フレキシブルディスプレイ３０２の繰り出し量に応じた、たとえば、目的地点や経由地点などの任意の数の地点およびその周辺の所定範囲の地図を表示することができる。これにより、ユーザは、たとえば、現在走行中の経路周辺の表示用情報を参照しながら、目的地点周辺の表示用情報や経由地点周辺の表示用情報などの他の情報も同時に参照することができる。これにより、ユーザは、あらかじめ目的地点周辺や経由地点周辺の経路情報を把握することができる。
【００９４】
また、本実施例のナビゲーション装置３００によれば、たとえば、現在地点から目的地点などの任意の地点間を結ぶルート全体をあらわす地図をフレキシブルディスプレイ３０２の繰り出し量に応じて拡大または縮小した地図を、フレキシブルディスプレイ３０２に表示することができる。これによってナビゲーション装置３００は、地図情報をスクロールさせることなく、たとえば、現在地点から目的地点間を結ぶルート全体を表示することができる。これにより、ユーザは、ルート全体の情報を簡単に得ることができる。
【００９５】
なお、本実施例では、表示用情報を任意の地点およびその周辺の所定範囲の地図をフレキシブルディスプレイ３０２に表示させるための情報として説明したが、表示用情報は上述の情報に限らない。たとえば、画面数変更モードにおいて、表示領域９０１には表示用情報を、表示領域９０２にはＶＩＣＳで入手したニュースなどを表示してもよいし、ＤＶＤ映像やＴＶ映像などのＡＶ情報を表示させてもよい。これにより、ナビゲーション装置３００がナビゲーション動作中であっても、同乗者はＡＶ情報などを鑑賞することができる。
【００９６】
なお、本実施の形態で説明した表示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００９７】
１００  表示装置
１０１  フレキシブルディスプレイ
１０２  取得部
１０３  生成部
１０４  表示制御部
【手続補正２】
【補正対象書類名】特許請求の範囲
【補正対象項目名】全文
【補正方法】変更
【補正の内容】
【特許請求の範囲】
【請求項１】
可撓性を有するフレキシブルディスプレイを所定方向に巻回した状態でハウジング内に収容するとともに、収容された前記フレキシブルディスプレイを前記ハウジング外へ繰り出し自在に保持する収容保持手段と、
前記ハウジング外へ繰り出された前記フレキシブルディスプレイの繰り出し量に関する情報を取得する取得手段と、
前記取得手段によって取得された情報を用いて、前記繰り出し量に応じて表示用情報を生成する生成手段と、
前記フレキシブルディスプレイを制御して、前記生成手段によって生成された表示用情報を表示する表示制御手段と、を備え、
前記生成手段は、前記繰り出し量に応じた数の任意の地点およびその周辺の所定範囲の地図をそれぞれあらわす表示用情報を生成することを特徴とする表示装置。
【請求項２】
可撓性を有するフレキシブルディスプレイを所定方向に巻回した状態でハウジング内に収容するとともに、収容された前記フレキシブルディスプレイを前記ハウジング外へ繰り出し自在に保持する収容保持工程と、
前記ハウジング外へ繰り出された前記フレキシブルディスプレイの繰り出し量に関する情報を取得する取得工程と、
前記取得工程によって取得された情報を用いて、前記繰り出し量に応じて表示用情報を生成する生成工程と、
前記フレキシブルディスプレイを制御して、前記生成工程によって生成された表示用情報を表示する表示制御工程と、を含み、
前記生成工程では、前記繰り出し量に応じた数の任意の地点およびその周辺の所定範囲の地図をそれぞれあらわす表示用情報を生成することを特徴とする表示方法。
【請求項３】
請求項２に記載の表示方法をコンピュータに実行させることを特徴とする受信プログラム。
【請求項４】
請求項３に記載の表示プログラムをコンピュータに読み取り可能に記録したことを特徴とする記録媒体。
【国際調査報告】
2008062532.tif 000015
2008062532.tif 000016
2008062532.tif 000017
2008062532.tif 000018
2008062532.tif 000019
2008062532.tif 000020
2008062532.tif 000021
2008062532.tif 000022